(57)【特許請求の範囲】
【請求項１】
それぞれ１個以上のマガジンを搭載可能なマガジン搭載部を有する任意数の複数のセルを少なくとも横方向に連設可能に構成され、
前記セルは、
天枠部と、
前記天枠部の下方に前記天枠部と対向して配置され、前記マガジンを支持する底枠部と、
前記セルの両側部にそれぞれ配置されて前記天枠部と前記底枠部とを上下に連結し、側枠部を構成する上下連結部と、
を有し、
第１及び第２の前記セルが横方向に隣り合って連設された状態で、前記第１のセルは、前記第１のセルと前記第２のセルとの間に位置する前記側枠部を有し、前記第１のセルの前記側枠部が、前記第１のセルの前記マガジン搭載部と、前記第２のセルの前記マガジン搭載部と、に臨んで、これらマガジン搭載部を仕切ることを特徴とし、かつ
前記第１及び第２のセルのうち、右側の前記セルの左側部の前記上下連結部と、左側の前記セルの右側部の前記上下連結部と、が正面視において互いに重なり合って、前記第１のセルの前記マガジン搭載部と前記第２のセルの前記マガジン搭載部とを仕切る一連の板状部を構成することを特徴とする商品陳列棚。
【請求項２】
前記複数のセルを少なくとも横方向に連結可能に構成されていることを特徴とする請求項１に記載の商品陳列棚。
【請求項３】
前記第１及び第２のセルのうち、右側の前記セルの左側部の前記上下連結部と、左側の前記セルの右側部の前記上下連結部と、が前後方向に延在する同一平面上に位置することを特徴とする請求項１又は２に記載の商品陳列棚。
【請求項４】
前記第１及び第２のセルのうち、右側の前記セルの左側部の前記上下連結部と、左側の前記セルの右側部の前記上下連結部と、の横幅が互いに等しく、且つ、これら上下連結部の横方向位置が一致することを特徴とする請求項１乃至３の何れか一項に記載の商品陳列棚。
【請求項５】
前記セルの左側部の前記上下連結部と右側部の前記上下連結部とは、互いに前後方向にオフセットされた位置で、それぞれ前記天枠部及び前記底枠部に固定され、
前記天枠部及び前記底枠部の側部には、横隣の前記セルの前記上下連結部の一部分を収容する切欠形状部が形成されていることを特徴とする請求項１乃至４の何れか一項に記載の商品陳列棚。
【請求項６】
前記天枠部と前記底枠部とが同一形状であることを特徴とする請求項１乃至５の何れか一項に記載の商品陳列棚。
【請求項７】
前記上下連結部の上下寸法は、前記セルの上下寸法と等しいことを特徴とする請求項１乃至６の何れか一項に記載の商品陳列棚。
【請求項８】
複数の前記セルを上下方向に連結可能に構成されていることを特徴とする請求項１乃至７の何れか一項に記載の商品陳列棚。
【請求項９】
一の前記セルの前記天枠部は、前記一のセルの１段上に位置する前記セルの底枠部を兼ねることを特徴とする請求項８に記載の商品陳列棚。
【請求項１０】
前記上下連結部は、前記天枠部及び前記底枠部にそれぞれ係合固定される上下一対の第１被係合部を有し、
前記天枠部は、上側の前記第１被係合部と係合する左右少なくとも一対の第１係合部を有し、
前記底枠部は、下側の前記第１被係合部と係合する左右少なくとも一対の第２係合部を有していることを特徴とする請求項１乃至９の何れか一項に記載の商品陳列棚。
【請求項１１】
前記上下連結部は、前記天枠部及び前記底枠部にそれぞれ係合固定される上下一対の第１被係合部を有し、
前記天枠部は、上側の前記第１被係合部と係合する左右少なくとも一対の第１係合部を有し、
前記底枠部は、下側の前記第１被係合部と係合する左右少なくとも一対の第２係合部を有し、
（１）前記上下連結部の上側の前記第１被係合部は前記上下連結部の上端部の前部に、下側の前記第１被係合部は前記上下連結部の下端部の後部に、それぞれ配置され、
前記上下連結部の上端部の後部には第１切欠形状部が形成され、前記上下連結部の下端部の前部には第２切欠形状部が形成され、
一の前記セルの１段上に位置する前記セルの前記上下連結部の下側の前記第１被係合部と、当該第１被係合部と係合する前記第１係合部とは、前記第１切欠形状部に収容され、
前記一のセルの１段下に位置する前記セルの前記上下連結部の上側の前記第１被係合部と、当該第１被係合部と係合する前記第２係合部とは、前記第２切欠形状部に収容されるか、
又は、
（２）前記上下連結部の上側の前記第１被係合部は前記上下連結部の上端部の後部に、下側の前記第１被係合部は前記上下連結部の下端部の前部に、それぞれ配置され、
前記上下連結部の上端部の前部には第１切欠形状部が形成され、前記上下連結部の下端部の後部には第２切欠形状部が形成され、
前記一のセルの１段上に位置する前記セルの前記上下連結部の下側の前記第１被係合部と、当該第１被係合部と係合する前記第１係合部とは、前記第１切欠形状部に収容され、
前記一のセルの１段下に位置する前記セルの前記上下連結部の上側の前記第１被係合部と、当該第１被係合部と係合する前記第２係合部とは、前記第２切欠形状部に収容されることを特徴とする請求項８又は９に記載の商品陳列棚。
【請求項１２】
前記第１及び第２係合部は、横方向に突出する係合突起であり、
前記第１被係合部は、横方向に開口し、前記係合突起が嵌入される孔部又は凹部を有することを特徴とする請求項１０又は１１に記載の商品陳列棚。
【請求項１３】
前記天枠部は、
横隣の前記セルの前記天枠部に係合する第３係合部と、
横隣の前記セルの前記天枠部の前記第３係合部が係合される第２被係合部と、
を有し、
前記底枠部は、
横隣の前記セルの前記底枠部に係合する第４係合部と、
横隣の前記セルの前記底枠部の前記第４係合部が係合される第３被係合部と、
を有することを特徴とする請求項１乃至１２の何れか一項に記載の商品陳列棚。
【請求項１４】
前記第３及び第４係合部は、前記天枠部及び前記底枠部の本体部より横方向に突出する突出片と、この突出片に形成された係合爪と、を有し、
前記第２及び第３被係合部は、前記係合爪が係合される孔部を有することを特徴とする請求項１３に記載の商品陳列棚。
【請求項１５】
前記係合爪は下向きに突出していることを特徴とする請求項１４に記載の商品陳列棚。
【請求項１６】
前記係合爪が前記孔部に係合した状態で、隣り合う前記セルの前記天枠部の上面どうし、並びに、隣り合う前記セルの前記底枠部の上面どうしが、それぞれ面一となるように、前記第３及び第４係合部における前記係合爪の周囲の部分の上下寸法及び配置と、前記第２及び第３被係合部における前記孔部の周囲の部分の上下寸法及び配置と、が設定されていることを特徴とする請求項１４又は１５に記載の商品陳列棚。
【請求項１７】
前記天枠部及び前記底枠部はそれぞれ板状であることを特徴とする請求項１乃至１６の何れか一項に記載の商品陳列棚。
【請求項１８】
前記上下連結部は板状であることを特徴とする請求項１乃至１７の何れか一項に記載の商品陳列棚。
【請求項１９】
前記上下連結部には、当該商品陳列棚の側面に設けられる化粧板を止着可能な止着部が形成されていることを特徴とする請求項１乃至１７の何れか一項に記載の商品陳列棚。
【請求項２０】
前記セルは、
各々前記側枠部となる左右の側板と、
前記セルの下端部において、互いに前後にオフセットして配置され、それぞれ左右の前記側板を連結し、前記マガジンを間接的又は直接的に支持する複数の第１連結棒と、
前記セルの上端部において、互いに前後にオフセットして配置され、それぞれ左右の前記側板を連結する、複数の第２連結棒と、
を有し、
隣り合う前記セルは、前記側板を共用し、
隣り合う前記セルの前記第１連結棒どうしは、１対１で対応し、
互いに対応する前記第１連結棒は、同軸上に位置し、且つ、前記側板を挟んで相互に連結され、
隣り合う前記セルの前記第２連結棒どうしは、１対１で対応し、
互いに対応する前記第２連結棒は、同軸上に位置し、且つ、前記側板を挟んで相互に連結されることを特徴とする請求項２に記載の商品陳列棚。
【請求項２１】
隣り合う前記セルの互いに対応する前記第１連結棒は相互に締結されることで連結され、
隣り合う前記セルの互いに対応する前記第２連結棒は相互に締結されることで連結されることを特徴とする請求項２０に記載の商品陳列棚。
【請求項２２】
前記第１及び第２連結棒は、左隣の前記セルの対応する前記第１連結棒又は第２連結棒と締結される第１棒状部と、前記第１棒状部と同軸上に位置し右隣の前記セルの対応する前記第１連結棒又は第２連結棒と締結される第２棒状部と、を有し、
前記第１棒状部と第２棒状部とは、相互に軸周りに回動自在に連結されていることを特徴とする請求項２０又は２１に記載の商品陳列棚。
【請求項２３】
前記側板は、上下方向に並ぶ複数の前記セルに共用されることを特徴とする請求項２０乃至２２の何れか一項に記載の商品陳列棚。
【発明の詳細な説明】
【技術分野】
【０００１】
本発明は、マガジンを搭載可能な商品陳列棚に関し、特に、横幅を変更可能な商品陳列棚に関する。
【背景技術】
【０００２】
コンビニエンスストアなどの店舗では、様々な商品がいわゆる什器（商品陳列棚）に陳列されている。
【０００３】
多様な商品のうち、例えばたばこ商品などの特定の商品を陳列するための什器は、電子キャッシュレジスタなどの販売処理装置が載置されたレジカウンタ上又はその周辺に配置されることが一般的である。
【０００４】
なお、ここで云うたばこ商品とは、実際に喫煙される紙巻たばこではなく、複数の紙巻たばこを収容している直方体状のパッケージを意味している。
【０００５】
ところで、コンビニエンスストアなどの店舗のレジカウンタ上又はその周辺において商品を陳列可能なスペースは、店舗毎に異なり、また季節毎の商品サイクルに応じても変動する。このため、商品陳列棚には、商品の陳列スペースの大きさを必要に応じて容易に変更できることが望まれる。
【０００６】
特許文献１には、互いに対向する一対の側壁部材と、これら側壁部材を連結する連結部材と、を有する商品陳列棚（商品陳列用什器）が記載されている。この商品陳列棚においては、連結部材は棒形状を有し、軸方向に任意数を接続できるようになっている。そして、連結部材の接続数を選択することによって、一対の側壁部材の間の距離を調整し、商品陳列棚の横幅を変更することが可能となっている。
【先行技術文献】
【特許文献】
【０００７】
【特許文献１】登録実用新案３１３８２９２号公報
【発明の概要】
【発明が解決しようとする課題】
【０００８】
特許文献１の技術では、一対の側壁部材間の領域が１つの空間であるため、一対の側壁部材の間の距離を調整することで商品陳列棚の横幅を変更できても、一対の側壁部材間の領域を複数に区分けしてそれぞれ独立的に利用することが困難である。
【０００９】
なお、特許文献１の商品陳列棚を横方向に複数個並べることにより、これら商品陳列棚のトータル横幅を変更でき、且つ、個々の商品陳列棚内の領域をそれぞれ独立的に利用することができる。しかしながら、この場合、個々の独立的な領域の間に２枚の側壁部材が横並びで配置されることとなり、構造に無駄があるためスペース効率が悪い。
【００１０】
本発明は、商品陳列棚の横幅を変更でき、商品陳列棚内の複数の領域をそれぞれ独立的に利用可能で、且つ、スペース効率が良い商品陳列棚を提供する。
【課題を解決するための手段】
【００１１】
本発明は、それぞれ１個以上のマガジンを搭載可能なマガジン搭載部を有する任意数の複数のセルを少なくとも横方向に連設可能に構成され、
前記セルは、
天枠部と、
前記天枠部の下方に前記天枠部と対向して配置され、前記マガジンを支持する底枠部と、
前記セルの両側部にそれぞれ配置されて前記天枠部と前記底枠部とを上下に連結し、側枠部を構成する上下連結部と、
を有し、
第１及び第２の前記セルが横方向に隣り合って連設された状態で、前記第１のセルは、前記第１のセルと前記第２のセルとの間に位置する前記側枠部を有し、前記第１のセルの前記側枠部が、前記第１のセルの前記マガジン搭載部と、前記第２のセルの前記マガジン搭載部と、に臨んで、これらマガジン搭載部を仕切ることを特徴とし、かつ
前記第１及び第２のセルのうち、右側の前記セルの左側部の前記上下連結部と、左側の前記セルの右側部の前記上下連結部と、が正面視において互いに重なり合って、前記第１のセルの前記マガジン搭載部と前記第２のセルの前記マガジン搭載部とを仕切る一連の板状部を構成することを特徴とする商品陳列棚を提供する。
【００１２】
この商品陳列棚によれば、任意数の複数のセルを横方向に連設できるので、商品陳列棚の横幅を変更できる。また、横方向に隣り合うセルは側枠部により仕切られているので、各セル内の領域をそれぞれ独立的に利用できる。しかも、その側枠部は、横方向に隣り合うセルの各々のマガジン搭載部に臨んでいる、すなわち、横方向に隣り合うセルはそれらを仕切る側枠部を共用する。よって、構造の無駄を低減でき、スペース効率を高めることができる。
すなわち、側枠部により相互に仕切られた複数のセルを、シンプルで無駄が低減された構造で横方向に連設でき、商品陳列棚の全体の幅に対する有効幅寸法（マガジン配置領域の幅寸法）を極力大きくすることができる。
【発明の効果】
【００１３】
本発明によれば、商品陳列棚の横幅を変更でき、商品陳列棚内の複数の領域をそれぞれ独立的に利用可能で、且つ、スペース効率を良くすることができる。
【図面の簡単な説明】
【００１４】
【図１】第１の実施形態に係る商品陳列棚の斜視図である。
【図２】第１の実施形態に係る商品陳列棚の正面図である。
【図３】第１の実施形態に係る商品陳列棚の側面図である。
【図４】図２のＡ−Ａ矢視断面図である。
【図５】第１の実施形態に係る商品陳列棚のセルの斜視図である。
【図６】第１の実施形態に係る商品陳列棚のセルの分解斜視図である。
【図７】第１の実施形態に係る商品陳列棚のセルの平面図である。
【図８】第１の実施形態に係る商品陳列棚のセルの側面図である。
【図９】図７のＡ−Ａ矢視断面図である。
【図１０】第１の実施形態に係る商品陳列棚のセルの正面図である。
【図１１】第１の実施形態に係る商品陳列棚の上下連結部の側面図である。
【図１２】第１の実施形態に係る商品陳列棚の上下連結部の正面図である。
【図１３】第１の実施形態に係る商品陳列棚の上下連結部の斜視図である。
【図１４】第１の実施形態に係る商品陳列棚の天枠部及び底枠部を構成する天底共通部材の平面図である。
【図１５】第１の実施形態に係る商品陳列棚の天底共通部材の側面図である。
【図１６】第１の実施形態に係る商品陳列棚の天底共通部材の斜視図である。
【図１７】第１の実施形態に係る商品陳列棚の天底共通部材どうしの連結構造及び連結動作を示す断面図である。
【図１８】第１の実施形態に係る商品陳列棚の２つのセルを横方向に連結した状態を示す斜視図である。
【図１９】第１の実施形態に係る商品陳列棚の２つのセルを横方向に連結した状態を示す側面図である。
【図２０】第１の実施形態に係る商品陳列棚の２つのセルを上下方向に連結した状態を示す斜視図である。
【図２１】第１の実施形態に係る商品陳列棚の２つのセルを上下方向に連結した状態を示す側面図である。
【図２２】第１の実施形態に係る商品陳列棚の側面化粧パネルを示す斜視図である。
【図２３】第１の実施形態に係る商品陳列棚の前面化粧パネルを示す分解斜視図である。
【図２４】第１の実施形態に係る商品陳列棚のベースプレートを示す斜視図である。
【図２５】第１の実施形態の変形例に係る商品陳列棚の天底共通部材の平面図である。
【図２６】第１の実施形態の変形例に係る商品陳列棚の天底共通部材の側面図である。
【図２７】第１の実施形態の変形例に係る商品陳列棚の天底共通部材の斜視図である。
【図２８】マガジンの一例を示す側面図及び正面図である。
【図２９】第２の実施形態に係る商品陳列棚の斜視図（部分的に分解してある）である。
【図３０】第２の実施形態に係る商品陳列棚の正面図である。
【図３１】第２の実施形態に係る商品陳列棚の横方向連結構造を説明するための分解斜視図である。
【図３２】第２の実施形態に係る商品陳列棚の横方向連結構造を説明するための正面図である。
【図３３】第２の実施形態に係る商品陳列棚の支持プレートの斜視図である。
【図３４】第２の実施形態に係る商品陳列棚の前面化粧パネルの側面図である。
【図３５】第２の実施形態に係る商品陳列棚の側面図である。
【図３６】第２の実施形態の変形例に係る商品陳列棚の連結棒の断面図である。
【発明を実施するための形態】
【００１５】
以下、本発明の実施形態について、図面を用いて説明する。なお、すべての図面において、同様の構成要素には同一の符号を付し、適宜に説明を省略する。
【００１６】
〔第１の実施形態〕
図１乃至図４は第１の実施形態に係る商品陳列棚１００を示す図であり、このうち図１は斜視図、図２は正面図、図３は側面図、図４は図２のＡ−Ａ矢視断面図である。図５乃至図１０は商品陳列棚１００を構成する単体のセル１を示す図であり、このうち図５は斜視図、図６は分解斜視図、図７は平面図、図８は側面図、図９は図７のＡ−Ａ矢視断面図、図１０は正面図である。図１１乃至図１３はセル１の上下連結部３０を示す図であり、このうち図１１は側面図、図１２は正面図、図１３は斜視図である。図１４乃至図１６はセル１の天枠部２及び底枠部３を構成する天底共通部材１０を示す図であり、このうち図１４は平面図、図１５（ａ）は左側面図、図１５（ｂ）は右側面図、図１６は斜視図である。図１７（ａ）は天底共通部材１０どうしの連結構造を示す断面図、図１７（ｂ）はその連結動作を示す断面図である。図１８及び図１９は２つのセル１を横方向に連結した状態を示す図であり、このうち図１８は斜視図、図１９は側面図である。図２０及び図２１は２つのセル１を上下方向に連結した状態を示す図であり、このうち図２０は斜視図、図２１は側面図である。図２２は商品陳列棚１００の側面化粧パネル４、５を示す斜視図である。図２３は商品陳列棚１００の前面化粧パネル５０を示す分解斜視図である。図２４は商品陳列棚１００のベースプレート６を示す斜視図である。図２８はマガジン４０を示す側面図及び正面図である。
【００１７】
本実施形態に係る商品陳列棚１００は、それぞれ１個以上のマガジン４０を搭載可能なマガジン搭載部を有する任意数の複数のセル１を、少なくとも横方向に連設可能に構成され、第１及び第２のセル１が横方向に隣り合って連設された状態で、第１のセル１は、第１のセル１と第２のセル１との間に位置する側枠部（上下連結部３０）を有し、第１のセル１の側枠部が、第１のセル１のマガジン搭載部と、第２のセル１のマガジン搭載部と、に臨んで、これらマガジン搭載部を仕切る。
【００１８】
なお、セル１とは、マガジン４０の配置領域であるマガジン搭載部を区画する構造体を意味する。本実施形態の場合、マガジン搭載部は、天枠部２、底枠部３及び左右の上下連結部３０により囲まれた領域である。
【００１９】
また、本明細書において、連設とは、セル１どうしを連結する態様に限らず、セル１どうしを連ねて設置する態様も含むが、本実施形態では、以下に説明するように、任意数のセル１を横方向及び上下方向に連結する例を説明する。
【００２０】
商品陳列棚１００は、例えば、図１及び図２に示すように、それぞれ１個以上のマガジン４０（図２８）を搭載可能な複数のセル１を横方向及び上下方向に任意数ずつ連結することにより構成される。
ここで、任意数のセル１を横方向及び上下方向に組み付けることにより構成される構造体をセル組付体７と称する。
図１及び図２の例では、商品陳列棚１００は、横方向に６つのセル１を連結し、上下方向にも６つのセル１を連結し、合計３６個のセル１を組み付けることにより構成されたセル組付体７を有する。
【００２１】
セル組付体７の側面には、必要に応じて、各種の装飾表示が施された側面化粧パネル４、５を取り付けることができる（図３、図４参照）。一例として、側面化粧パネル５には、図３に示すように、商品のブランドイメージなどを表す装飾表示（例えば、「ＸＹＺタバコ」といった表示など）が印字された装飾表示部５ａが形成され、側面化粧パネル４にも同様の装飾表示部（図示略）が形成されている。
【００２２】
セル組付体７の前面には、必要に応じて、各種の装飾表示が施された前面化粧パネル５０を取り付けることができる。一例として、前面化粧パネル５０には、図１及び図２に示すように、商品のブランドイメージなどを表す装飾表示（例えば、「ＸＹＺタバコ」といった表示など）が印字された装飾表示部５０ａが形成されている。
【００２３】
更に、必要に応じて、セル組付体７の下にベースプレート６を設けることができる。
【００２４】
図５乃至図１０に示すように、単体のセル１は、天枠部２と、底枠部３とを有する。底枠部３は、天枠部２の下方に天枠部２と対向して配置され、マガジン４０を直接的又は間接的に支持する。本実施形態の場合、底枠部３は、例えば、マガジン４０を直接的に支持する。
【００２５】
更に、セル１は、セル１の両側部にそれぞれ配置され、天枠部２と底枠部３とを上下に連結する上下連結部３０を有する。この上下連結部３０は、横方向に隣り合うセル１どうしの間に位置して、これらセル１のマガジン搭載部を仕切る側枠部を構成する。
【００２６】
セル１は、例えば、左右両側部に、それぞれ２つずつの上下連結部３０を有している。なお、左右の上下連結部３０は、互いに前後にオフセットされている。
すなわち、図５に示すように、セル１は、その一方の側部に、前側の上下連結部３０ａと後側の上下連結部３０ｂとを有し、他方の側部には、前側の上下連結部３０ｃと後側の上下連結部３０ｄとを有している。そして、上下連結部３０ａと上下連結部３０ｃは、互いに前後にオフセットされ、上下連結部３０ｂと上下連結部３０ｄも、互いに前後にオフセットされている。更に、上下連結部３０ａと上下連結部３０ｄは、互いに前後にオフセットされ、上下連結部３０ｂと上下連結部３０ｃも、互いに前後にオフセットされている。
【００２７】
天枠部２及び底枠部３は、例えば、それぞれ板状に形成されている。また、上下連結部３０も、例えば、板状に形成されている。
【００２８】
４つの上下連結部３０を介して天枠部２と底枠部３とを連結することにより、天枠部２は、底枠部３よりも所定距離だけ上方位置において、上下連結部３０を介して底枠部３により支持される。この状態で、天枠部２と底枠部３とは互いに平行となる。天枠部２及び底枠部３は、例えばレジカウンタなどの水平な載置面と平行に配置される。
【００２９】
例えば、底枠部３と、天枠部２とは、互いに同一形状であり、底枠部３と、天枠部２とは、互いに共通の天底共通部材１０からなる。
【００３０】
上述のように、本実施形態に係る商品陳列棚１００は、任意数のセル１を上下方向にも連結可能に構成されている。そして、一のセル１の天枠部２を構成する天底共通部材１０は、当該一のセル１の１段上に位置するセル１の底枠部３を兼ねるようになっている。同様に、一のセル１の底枠部３を構成する天底共通部材１０は、当該一のセル１の１段下に位置するセル１の天枠部２を兼ねるようになっている。
【００３１】
また、上下連結部３０は、その板面方向が前後方向となる向きで、天枠部２及び底枠部３に対して直交するように配置される。
【００３２】
このため、図１０に示すように、セル１を正面から見ると矩形枠状となっている。セル１は、例えば、前方及び後方に開放しており、マガジン４０を後方及び前方に引き出し可能となっている。
【００３３】
例えば、図７乃至図９に示すように、天枠部２が底枠部３よりも後方にずれており、セル１が後傾していることが一例として挙げられる。ただし、天枠部２と底枠部３とは、前後位置が互いに等しく、平面視において互いに重なるようになっていても良い。
【００３４】
後述するように、複数のセル１が横方向に連結された状態では、横方向に隣り合うセル１の上下連結部３０が正面視において互いに重なり合うようになっており、隣り合うセル１の上下連結部３０により一連の板状部８が構成される。この板状部８が、横方向に隣り合うセル１のマガジン搭載部を相互に仕切る。
より具体的には、例えば、複数のセル１が横方向に連結された状態では、横方向に隣り合うセル１の上下連結部３０が、例えば、前後方向に延在する同一平面上に位置する。
より具体的には、例えば、各セル１の上下連結部３０の横幅が互いに等しく、複数のセル１が横方向に連結された状態では、横方向に隣り合うセル１の上下連結部３０の横方向位置が互いに一致する。よって、正面視において、横方向に隣り合うセル１の上下連結部３０が幅方向全域において完全に重なる。
【００３５】
上下連結部３０の上下寸法は、セル１の上下寸法と等しい。上下連結部３０は、天枠部２より上方に突出せず、又、底枠部３より下方に突出しないようになっている。
【００３６】
図１１乃至図１３に示すように、上下連結部３０は、例えば、平板なプレート状の本体部３１を有している。例えば、本体部３１の上端面と下端面とは互いに平行となっており、それぞれ水平に配置される。本体部３１を側面から見た形状は、例えば、四角形（例えば、平行四辺形）であることが挙げられる。
【００３７】
本体部３１の上端部には、天枠部２に係合固定される被係合部（第１被係合部）３２が形成され、本体部３１の下端部には、底枠部３に固定される被係合部（第１被係合部）３３が形成されている。つまり、上下連結部３０は、天枠部２（セル１の上部の天底共通部材１０）及び底枠部３（セル１の下部の天底共通部材１０）にそれぞれ固定される上下一対の被係合部（第１被係合部）３２、３３を有している。
【００３８】
被係合部３２、３３には、それぞれ被係合部３２、３３を横方向に貫通する係合孔（第１係合部、第２係合部）３４、３５が形成されている。この係合孔３４、３５は、例えば、前後方向に長尺な長孔形状となっている。係合孔３４、３５の内空断面形状は、例えば矩形状である。例えば、係合孔３４と係合孔３５とは、互いに同一の寸法及び形状に形成されている。なお、被係合部３２、３３は、後述する係合突起１２と係合できれば良く、例えば、係合孔３４、３５の代わりに、横方向に開口する凹部を設けても良い。
【００３９】
例えば、上側の被係合部３２は、本体部３１の上端面の前部（例えば前側半分の領域）に配置され、下側の被係合部３３は、本体部３１の下端面の後部（例えば後ろ側半分の領域）に配置されている。つまり、上側の被係合部３２は上下連結部３０の上端部の前部に配置され、下側の被係合部３３は上下連結部３０の下端部の後部に配置されている。
そして、上下連結部３０において、被係合部３２の後側の部位は、第１切欠形状部３７となっており、被係合部３３の前側の部位は、第２切欠形状部３８となっている。つまり、上下連結部３０の上端部の後部には第１切欠形状部３７が形成され、上下連結部３０の下端部の前部には第２切欠形状部３８が形成されている。
【００４０】
なお、上側の被係合部３２と第１切欠形状部３７との前後位置関係が逆転し、且つ、下側の被係合部３３と第２切欠形状部３８との前後位置関係が逆転していても良い。
【００４１】
例えば、被係合部３２の上端面は、本体部３１の上端面と平行となっており、被係合部３３の下端面は、本体部３１の下端面と平行となっている。
被係合部３２、３３は、例えば、それぞれ扁平な直方体形状であり、平面形状、側面形状、正面形状が何れも矩形状となっている。
【００４２】
例えば、被係合部３２の上下寸法（高さ）は、天枠部２（天底共通部材１０）の上下寸法（厚み）と等しく、同様に、被係合部３３の上下寸法（高さ）は、底枠部３（天底共通部材１０）の上下方向寸法（厚み）と等しい。
【００４３】
例えば、被係合部３２、３３の横方向寸法は、本体部３１の横方向寸法（厚み）と等しい。更に、例えば、これらの横方向寸法は、後述する係合突起１２の横方向寸法（突出長）と等しい。  
【００４４】
本体部３１には、側面化粧パネル４、５を取り付けるための取付孔３６（例えば、上下一対の取付孔３６）が形成されている。この取付孔３６は、本体部３１を横方向に貫通している。
このように、上下連結部３０には、商品陳列棚１００の側面に設けられる化粧板（側面化粧パネル４、５）を止着可能な止着部（取付孔３６）が形成されている
【００４５】
上下連結部３０は、例えば、左右対称形となっており、セル１の右部と左部の何れにも設けることができるようになっている。つまり、上下連結部３０ａ、３０ｂと、上下連結部３０ｃ、３０ｄとは、例えば、互いに同形状の部材である。
【００４６】
また、上下連結部３０は、側面視において、中心Ｃ１（図１１）を中心とする点対称形となっている。このため、この中心Ｃ１を中心として上下連結部３０の板面方向において１８０度回転させることにより上下連結部３０を上下反転させても、その反転前と同様に上下連結部３０を用いることができるようになっている。
【００４７】
図１４乃至図１６に示すように、天底共通部材１０は、平板なプレート状に形成され、水平に配置される本体部１１を有する。本体部１１は、例えば、平面形状が矩形状（例えば、前後方向に長い長方形状）となっている。
【００４８】
更に、天底共通部材１０は、本体部１１より横方向に突出する複数の係合突起１２を有している。例えば、天底共通部材１０は、本体部１１の一方の側面より横方向に突出する４つの係合突起１２ａ、１２ｅ、１２ｂ、１２ｆと、本体部１１の他方の側面より横方向に突出する４つの係合突起１２ｃ、１２ｇ、１２ｄ、１２ｈと、の合計８つの係合突起１２を有している。
【００４９】
各係合突起１２は、上下連結部３０の係合孔３４、３５内に嵌入可能な形状及び寸法となっている。係合突起１２は、例えば、扁平な直方体形状であり、平面形状、側面形状、正面形状が何れも矩形状となっている。
【００５０】
係合突起１２の肉厚は、例えば、本体部１１の上下寸法よりも薄く設定されている。
各係合突起１２ａ〜１２ｈは、例えば、同一の高さ（上下方向位置）に配置されている。具体的には、係合突起１２は、本体部１１の厚み方向における中央部（上下方向における中央部）に配置されている。
【００５１】
係合突起１２の突出長（横方向寸法）は、上下連結部３０の厚み（横方向寸法）と等しく設定されている。
【００５２】
例えば、８つの係合突起１２のうち、係合突起１２ａと係合突起１２ｅとは、天底共通部材１０の一方の側部の前部において、前後方向に並んで互いに近接して配置されている。係合突起１２ａが前、係合突起１２ｅが後ろである。
また、係合突起１２ｂと係合突起１２ｆとは、天底共通部材１０の一方の側部の後部において、前後方向に並んで互いに近接して配置されている。係合突起１２ｂが前、係合突起１２ｆが後ろである。
また、係合突起１２ｃと係合突起１２ｇとは、天底共通部材１０の他方の側部の前部において、前後方向に並んで互いに近接して配置されている。係合突起１２ｃが前、係合突起１２ｇが後ろである。
また、係合突起１２ｄと係合突起１２ｈとは、天底共通部材１０の他方の側部の後部において、前後方向に並んで互いに近接して配置されている。係合突起１２ｄが前、係合突起１２ｈが後ろである。
【００５３】
例えば、前後方向における係合突起１２ａと係合突起１２ｅとの距離と、前後方向における係合突起１２ｂと係合突起１２ｆとの距離と、前後方向における係合突起１２ｃと係合突起１２ｇとの距離と、前後方向における係合突起１２ｄと係合突起１２ｈとの距離とは、互いに等しい。
【００５４】
また、例えば、前後方向における係合突起１２ａと係合突起１２ｂとの距離と、前後方向における係合突起１２ｅと係合突起１２ｆとの距離と、前後方向における係合突起１２ｃと係合突起１２ｄとの距離と、前後方向における係合突起１２ｇと係合突起１２ｈとの距離とは、互いに等しい。
【００５５】
これら係合突起１２のうち、係合突起１２ａと係合突起１２ｃとが左右で対をなし、係合突起１２ｂと係合突起１２ｄとが左右で対をなしている。
同様に、係合突起１２ｅと係合突起１２ｇとが左右で対をなし、係合突起１２ｆと係合突起１２ｈとが左右で対をなしている。
【００５６】
係合突起１２ａ及び係合突起１２ｅと、係合突起１２ｃ及び係合突起１２ｇとは、互いに前後方向においてオフセットして配置されている。具体的には、係合突起１２ｃ及び係合突起１２ｇは、係合突起１２ａ及び係合突起１２ｅよりも後方に位置している。
【００５７】
同様に、係合突起１２ｂ及び係合突起１２ｆと、係合突起１２ｄ及び係合突起１２ｈとは、互いに前後方向においてオフセットして配置されている。具体的には、係合突起１２ｄ及び係合突起１２ｈは、係合突起１２ｂ及び係合突起１２ｆよりも後方に位置している。
【００５８】
天底共通部材１０は、更に、横隣（例えば、左隣）のセル１の天底共通部材１０に係合する係合部１３と、横隣（例えば、右隣）のセル１の天底共通部材１０の係合部１３が係合される被係合部１４と、を有している。
【００５９】
すなわち、天枠部２は、横隣（例えば、左隣）のセル１の天枠部２に係合する係合部（第３係合部）１３と、横隣（例えば、右隣）のセル１の天枠部２の係合部（第３係合部）１３が係合される被係合部（第２被係合部）１４と、を有している。
【００６０】
同様に、底枠部３は、横隣（例えば、左隣）のセル１の底枠部３に係合する係合部（第４係合部）１３と、横隣（例えば、右隣）のセル１の底枠部３の係合部（第４係合部）１３が係合される被係合部（第３被係合部）１４と、を有している。
【００６１】
係合部１３は、例えば、天底共通部材１０の本体部１１の一方の側面（例えば左側面）より横方向（例えば、左方向）へ水平に突出する突出片１３１と、この突出片１３１に形成された係合爪１３２と、を有する。
【００６２】
突出片１３１は、例えば、扁平な直方体形状であり、平面形状、正面形状、側面形状が何れも矩形状となっている。
突出片１３１の突出長（横方向寸法）、すなわち、係合部１３の突出長（横方向寸法）は、上下連結部３０の厚み（横方向寸法）と等しい。
【００６３】
図１５（ａ）に示すように、突出片１３１の上下方向の厚みは、例えば、本体部１１よりも薄く、具体的には、本体部１１の厚みの半分（半分程度）となっている。そして、突出片１３１は、本体部１１の側面の上部（例えば上半部）に設けられている。
例えば、突出片１３１の上面（係合部１３の上面）は、本体部１１の上面と面一となっている。
【００６４】
係合爪１３２も、例えば、扁平な直方体形状であり、平面形状、正面形状、側面形状が何れも矩形状となっている。
図１５（ａ）に示すように、係合爪１３２は、例えば、突出片１３１より下向きに突出している。係合爪１３２の突出長（上下寸法）も、例えば、本体部１１の厚みの半分（半分程度）となっている。
例えば、係合爪１３２の下端面は、本体部１１の下面と面一となっている。
【００６５】
係合爪１３２は、例えば、突出片１３１において、その突出方向先端部に配置されている。
例えば、係合爪１３２の前後方向寸法は、突出片１３１の前後方向寸法よりも小さく、係合爪１３２は、突出片１３１の前後方向における中央部に配置されている。
【００６６】
被係合部１４は、例えば、天底共通部材１０の本体部１１の側面（例えば右側面）より横方向（例えば、右方向）に突出する突出片１４１と、この突出片１４１に形成され、係合爪１３２が係合される孔部１４２と、を有する。
【００６７】
突出片１４１は、例えば、扁平な直方体形状であり、平面形状、正面形状、側面形状が何れも矩形状となっている。
突出片１４１の突出長（横方向寸法）、すなわち、被係合部１４の突出長（横方向寸法）は、上下連結部３０の厚み（横方向寸法）と等しい。
【００６８】
図１５（ｂ）に示すように、突出片１４１の上下方向の厚みは、例えば、本体部１１よりも薄く、具体的には、本体部１１の厚みの半分（半分程度）となっている。そして、突出片１４１は、本体部１１の側面の下部（例えば下半部）に設けられている。
例えば、突出片１４１の下面（被係合部１４の下面）は、本体部１１の下面と面一となっている。
【００６９】
孔部１４２は、例えば、突出片１４１を上下に貫通している。ただし、孔部１４２は、  突出片１４１を貫通していなくても良い（凹部であっても良い）。
孔部１４２の内空形状は、例えば、係合爪１３２の外形形状と等しく、孔部１４２内に係合爪１３２を嵌入可能となっている。
【００７０】
孔部１４２は、例えば、突出片１４１において、その突出方向基端部に配置されている。
例えば、孔部１４２は、突出片１４１の前後方向における中央部に配置されている。
【００７１】
係合部１３と被係合部１４とは、互いに同一の前後位置に配置され、横方向に並んでいる。また、係合爪１３２と孔部１４２とは、互いに同一の前後位置に配置され、横方向に並んでいる。
【００７２】
例えば、突出片１３１と突出片１４１は、互いに平面形状及び平面寸法が等しい。そして、係合部１３が被係合部１４と係合したときに、つまり係合爪１３２が孔部１４２に嵌入したときに、突出片１３１が突出片１４１の上に重なり、平面視において突出片１３１の外形線（係合部１３の外形線）と突出片１４１の外形線（被係合部１４の外形線）とが一致するようになっている。
【００７３】
例えば、天底共通部材１０は、突出片１４１と前後方向に隣接する位置において本体部１１より横方向に突出する突出片２３を有している。例えば、突出片２３が前、突出片１４１が後に位置している。
突出片２３及び被係合部１４は、例えば、係合突起１２ｅよりも後方、且つ、係合突起１２ｂよりも前方に配置されている。
【００７４】
突出片２３は、例えば、扁平な直方体形状であり、平面形状、正面形状、側面形状が何れも矩形状となっている。突出片２３の平面寸法は、突出片１３１の平面寸法と等しく、従って、突出片２３の突出長（横方向寸法）は、被係合部１４の突出長と等しい。また、突出片２３の厚みは、本体部１１の厚み（上下方向の寸法）と等しい。突出片２３の上面は、本体部１１の上面と面一であり、突出片２３の下面は、本体部１１の下面と面一である。
【００７５】
例えば、係合部１３と前後方向に隣接し、突出片２３と横方向に並ぶ位置には、隣のセル１の突出片２３が入り込む（例えば嵌入する）切欠形状部２４が形成されている。この切欠形状部２４は、例えば、係合部１３と係合突起１２ｇとの間に位置している。
【００７６】
例えば、天底共通部材１０における突出片２３と係合突起１２ｅとの間の部分は、隣のセル１の上下連結部３０の一部分など（詳細後述）が入り込む切欠形状部１８ａとなっている。
同様に、天底共通部材１０における係合部１３と係合突起１２ｄとの間の部分は、隣のセル１の上下連結部３０の一部分など（詳細後述）が入り込む切欠形状部１８ｂとなっている。
【００７７】
例えば、係合突起１２ａの前側には、本体部１１より横方向（例えば右方向）に突出する突出片１５ａが形成されている。
突出片１５ａは、例えば、扁平な直方体形状であり、平面形状、正面形状、側面形状が何れも矩形状となっている。
突出片１５ａの突出長（横方向寸法）は、被係合部１４及び突出片２３の突出長と等しい。
また、突出片１５ａの厚みは、本体部１１の厚み（上下方向の寸法）と等しい。
突出片１５ａの上面は、本体部１１の上面と面一であり、突出片１５ａの下面は、本体部１１の下面と面一である。
突出片１５ａの前端面（手前側の面）は、本体部１１の前端面（手前側の面）と面一となっている。
【００７８】
同様に、係合突起１２ｈの後側には、本体部１１より横方向（例えば左方向）に突出する突出片１５ｂが形成されている。
例えば、突出片１５ｂの形状及び寸法は、突出片１５ａと同一である。
突出片１５ｂの突出長は、係合部１３の突出長と等しい。
突出片１５ｂの上面は、本体部１１の上面と面一であり、突出片１５ｂの下面は、本体部１１の下面と面一である。
突出片１５ｂの後端面（奥側の面）は、本体部１１の後端面（奥側の面）と面一となっている。
【００７９】
例えば、天底共通部材１０における係合突起１２ｆの後側の部分は、横隣のセル１の突出片１５ｂと、隣のセル１の上下連結部３０の一部分など（詳細後述）と、が入り込む切欠形状部１９ａとなっている。
同様に、天底共通部材１０における係合突起１２ｃの前側の部分は、横隣のセル１の突出片１５ａと、隣のセル１の上下連結部３０の一部分など（詳細後述）と、が入り込む切欠形状部１９ｂとなっている。
【００８０】
例えば、天底共通部材１０の本体部１１の上面には、マガジン４０のブレード４１（後述）の下端部が入り込む左右一対のブレード溝１６が、それぞれ前後方向に直線状に延在するように形成されている。
【００８１】
更に、本体部１１には、天底共通部材１０をベースプレート６に取り付けるための取付孔１７（例えば、前後一対の取付孔１７）が、本体部１１の表裏を貫通するように形成されている。なお、前側の取付孔１７は、例えば、前面化粧パネル５０の取り付けにも使用できるようになっている。
【００８２】
単一のセル１は、以下に説明するようにして組み立てることができる。
【００８３】
図８に示すように、セル１の一方の側部の上端部においては、天枠部２としての天底共通部材１０の係合突起１２ａを前側の上下連結部３０ａの上側の被係合部３２の係合孔３４に嵌入（係合）させ、天枠部２としての天底共通部材１０の係合突起１２ｂを後側の上下連結部３０ｂの上側の被係合部３２の係合孔３４に嵌入（係合）させる。
【００８４】
同様に、セル１の一方の側部の下端部においては、底枠部３としての天底共通部材１０の係合突起１２ｅを前側の上下連結部３０ａの下側の被係合部３３の係合孔３５に嵌入（係合）させ、底枠部３としての天底共通部材１０の係合突起１２ｆを後側の上下連結部３０ｂの下側の被係合部３３の係合孔３５に嵌入（係合）させる。
【００８５】
同様に、セル１の他方の側部の上端部においては、天枠部２としての天底共通部材１０の係合突起１２ｃを前側の上下連結部３０ｃの上側の被係合部３２の係合孔３４に嵌入（係合）させ、天枠部２としての天底共通部材１０の係合突起１２ｄを後側の上下連結部３０ｄの上側の被係合部３２の係合孔３４に嵌入（係合）させる。
【００８６】
同様に、セル１の他方の側部の下端部においては、底枠部３としての天底共通部材１０の係合突起１２ｇを前側の上下連結部３０ｃの下側の被係合部３３の係合孔３５に嵌入（係合）させ、底枠部３としての天底共通部材１０の係合突起１２ｈを後側の上下連結部３０ｄの下側の被係合部３３の係合孔３５に嵌入（係合）させる。
【００８７】
これにより、図５、図７乃至図１０に示すような単体のセル１が組み立てられる。
【００８８】
なお、天枠部２としての天底共通部材１０の係合突起１２ａ、１２ｃ、１２ｂ、１２ｄは、第１係合部であり、底枠部３としての天底共通部材１０の係合突起１２ｅ、１２ｇ、１２ｆ、１２ｈは、第２係合部である。
【００８９】
このように、天底共通部材１０は、上側の被係合部３２と係合する左右少なくとも一対（例えば、係合突起１２ａ及び係合突起１２ｃの対と、係合突起１２ｂ及び係合突起１２ｄの対と、の合計二対）の第１係合部を有している。
更に、天底共通部材１０は、下側の被係合部３３と係合する左右少なくとも一対（例えば、係合突起１２ｅ及び係合突起１２ｇの対と、係合突起１２ｆ及び係合突起１２ｈの対と、の合計二対）の第２係合部を有している。
【００９０】
セル１の組み立ての際には、天底共通部材１０と上下連結部３０とを横方向にて互いに近づけることにより、各係合突起１２と、それぞれ対応する係合孔３４、３５と、を係合させることができる。
すなわち、上下連結部３０と天枠部２とを横方向にて互いに近づけることにより上側の被係合部と第１係合部とが係合し、上下連結部３０と底枠部３とを横方向にて互いに近づけることにより下側の被係合部と第２係合部とが係合する。
【００９１】
ここで、係合突起１２は、天底共通部材１０の本体部１１の厚み方向における中央部（上下方向における中央部）に配置されている。また、被係合部３２、３３の上下寸法は、それぞれ、本体部１１の厚み寸法と等しく設定されている。
このため、図８に示すように、上下連結部３０の上端面、すなわち被係合部３２の上面は、天枠部２の上面と面一となり、上下連結部３０の下端面、すなわち被係合部３３の下面は、底枠部３の下面と面一となる。
しかも、各上下連結部３０の本体部３１の上端面と天枠部２の下面とが同一平面上に位置し、各上下連結部３０の本体部３１の下端面と底枠部３の上面とが同一平面上に位置する。
【００９２】
また、上下連結部３０の厚み（横方向寸法）は、被係合部１４、突出片２３及び突出片１５ａの突出長（横方向寸法）と等しい。
このため、上下連結部３０ａ、上下連結部３０ｂ、被係合部１４、突出片２３及び突出片１５ａの右側面は、互いに面一となる。
同様に、上下連結部３０ｃ、上下連結部３０ｄ、係合部１３及び突出片１５ｂの左側面は、互いに面一となる。
よって、図１０に示すように、セル１を正面から見たときに、矩形枠状となり、この枠形状から外方に突出した部分が存在しない。
【００９３】
また、上述のように、係合突起１２ｃ及び係合突起１２ｇは、係合突起１２ａ及び係合突起１２ｅよりも後方に位置しているため、上下連結部３０ｃは、上下連結部３０ａよりも後方にオフセットされ、図８に示すように側面視において上下連結部３０ｃと上下連結部３０ａとは重なっていない。同様に、上下連結部３０ｄは、上下連結部３０ｂよりも後方にオフセットされ、側面視において上下連結部３０ｄと上下連結部３０ｂとは重なっていない。
このように、セル１の左側部の上下連結部３０ｃ、３０ｄと、セル１の右側部の上下連結部３０ａ、３０ｂとは、互いに前後方向にオフセットされた位置で、それぞれ天枠部２及び底枠部３に固定される。
【００９４】
また、上下連結部３０ａと上下連結部３０ｂとは、同一平面上に位置し、正面視において互いに重なっている。
同様に、上下連結部３０ｃと上下連結部３０ｄとは、同一平面上に位置し、正面視において互いに重なっている。
【００９５】
例えば、上下連結部３０ａの上側の被係合部３２の前面は、天枠部２の突出片１５ａの後面に接している。これにより、当該被係合部３２内の係合突起１２ａへの負荷（応力集中）が軽減され、該被係合部３２と天枠部２との係合の安定性が増すようになっている。
【００９６】
例えば、上下連結部３０ｂの上側の被係合部３２の前面は、天枠部２の被係合部１４の後面に接している。これにより、当該被係合部３２内の係合突起１２ｂへの負荷（応力集中）が軽減され、該被係合部３２と天枠部２との係合の安定性が増すようになっている。
【００９７】
例えば、上下連結部３０ｄの下側の被係合部３３の後面は、底枠部３の突出片１５ｂの前面に接している。これにより、当該被係合部３３内の係合突起１２ｈへの負荷（応力集中）が軽減され、該被係合部３３と底枠部３との係合の安定性が増すようになっている。
【００９８】
以下に説明するようにして複数のセル１を横方向に連結することができる。
【００９９】
２つのセル１を横方向に連結するためには、一方の（右側の）セル１の天枠部２の係合部１３の係合爪１３２を、他方の（左側の）セル１の天枠部２の被係合部１４の孔部１４２内へと、上方から嵌入させるとともに、一方のセル１の底枠部３の係合部１３の係合爪１３２を、他方のセル１の底枠部３の被係合部１４の孔部１４２内へと、上方から嵌入させる。
このためには、例えば、一方のセル１を他方のセル１に対して相対的に上に移動させた状態で、一方のセル１の各係合爪１３２がそれぞれ対応する孔部１４２の上方に位置するように双方のセル１を位置合わせし、一方のセル１を他方のセル１に対して相対的に下に移動させる（図１７参照）。
これにより、図１８及び図１９に示すように、２つのセル１を横方向に連結することができる。
【０１００】
以下、２つのセル１を横方向に連結した状態における特徴を説明する。
【０１０１】
先ず、係合爪１３２と孔部１４２とが嵌合していることにより、２つのセル１が横方向に離間すること、並びに、２つのセル１が前後方向に相対移動することが規制されている。
【０１０２】
ここで、これら２つのセル１の上面は互いに面一となっている。すなわち、一方のセルの突出片１３１が他方のセル１の突出片１４１の上に重なるとともに、この突出片１３１の上面と他方のセル１の本体部１１の上面とが面一となる。
更に言えば、これらセル１の天枠部２どうしは同一平面上に位置し、同様に、これらセル１の底枠部３どうしも同一平面上に位置している。
このように、係合爪１３２が孔部１４２に係合した状態で、隣り合うセル１の天枠部２の上面どうし、並びに、隣り合うセル１の底枠部３の上面どうしが、それぞれ面一となるように、天枠部２及び底枠部３の係合部１３における爪部１３２の周囲の部分（突出片１３１）の上下寸法及び配置と、天枠部２及び底枠部３の被係合部１４における孔部１４２の周囲の部分（突出片１４１）の上下寸法及び配置と、が設定されている。
【０１０３】
また、これら２つのセル１の天枠部２どうしは、互いに同一の前後位置となっている（前後方向にずれていない）。同様に、これら２つのセル１の底枠部３どうしも、互いに同一の前後位置となっている（前後方向にずれていない）。
【０１０４】
また、一方のセル１の切欠形状部２４内に他方のセル１の突出片２３が嵌入し、突出片２３の後面と突出片１３１の前面とが相互に接している。このことによっても、２つのセル１が前後方向に相対移動することが規制されている。
【０１０５】
また、一方のセル１の上下連結部３０ｃの上側の被係合部３２と、当該被係合部３２の内部の係合突起１２ｃと、一方のセル１の天枠部２の係合突起１２ｇと、が他方のセル１の天枠部２の切欠形状部１８ａ内に入り込んでいる。よって、これら被係合部３２、係合突起１２ｃ及び係合突起１２ｇと、他方のセル１の天枠部２と、が干渉しないようにすることができる。
【０１０６】
また、一方のセル１の上下連結部３０ｄの上側の被係合部３２と、当該被係合部３２の内部の係合突起１２ｄと、一方のセル１の天枠部２の係合突起１２ｈと、一方のセル１の天枠部２の突出片１５ｂと、が他方のセル１の天枠部２の切欠形状部１９ａ内に入り込んでいる。よって、これら被係合部３２、係合突起１２ｄ、係合突起１２ｈ及び突出片１５ｂと、他方のセル１の天枠部２と、が干渉しないようにすることができる。
【０１０７】
また、他方のセル１の上下連結部３０ａの上側の被係合部３２と、当該被係合部３２の内部の係合突起１２ａと、他方のセル１の天枠部２の係合突起１２ｅと、他方のセル１の天枠部２の突出片１５ａと、が一方のセル１の天枠部２の切欠形状部１９ｂ内に入り込んでいる。よって、これら被係合部３２、係合突起１２ａ、係合突起１２ｅ及び突出片１５ａと、一方のセル１の天枠部２と、が干渉しないようにすることができる。
【０１０８】
また、他方のセル１の上下連結部３０ｂの上側の被係合部３２と、その内部の係合突起１２ｂと、他方のセル１の天枠部２の係合突起１２ｆと、が一方のセル１の天枠部２の切欠形状部１８ｂ内に入り込んでいる。よって、これら被係合部３２、係合突起１２ｂ及び係合突起１２ｆと、一方のセル１の天枠部２と、が干渉しないようにすることができる。
【０１０９】
同様に、一方のセル１の上下連結部３０ｃの下側の被係合部３３と、当該被係合部３３の内部の係合突起１２ｇと、一方のセル１の底枠部３の係合突起１２ｃと、が他方のセル１の底枠部３の切欠形状部１８ａ内に入り込んでいる。よって、これら被係合部３３、係合突起１２ｇ及び係合突起１２ｃと、他方のセル１の底枠部３と、が干渉しないようにすることができる。
【０１１０】
また、一方のセル１の上下連結部３０ｄの下側の被係合部３３と、当該被係合部３３の内部の係合突起１２ｈと、一方のセル１の底枠部３の係合突起１２ｄと、一方のセル１の底枠部３の突出片１５ｂと、が他方のセル１の底枠部３の切欠形状部１９ａ内に入り込んでいる。よって、これら被係合部３３、係合突起１２ｈ、係合突起１２ｄ及び突出片１５ｂと、他方のセル１の底枠部３と、が干渉しないようにすることができる。
【０１１１】
また、他方のセル１の上下連結部３０ａの下側の被係合部３３と、当該被係合部３３の内部の係合突起１２ｅと、他方のセル１の底枠部３の係合突起１２ａと、他方のセル１の底枠部３の突出片１５ａと、が一方のセル１の底枠部３の切欠形状部１９ｂ内に入り込んでいる。よって、これら被係合部３３、係合突起１２ｅ、係合突起１２ａ及び突出片１５ａと、一方のセル１の底枠部３と、が干渉しないようにすることができる。
【０１１２】
また、他方のセル１の上下連結部３０ｂの下側の被係合部３３と、その内部の係合突起１２ｆと、他方のセル１の底枠部３の係合突起１２ｂと、が一方のセル１の底枠部３の切欠形状部１８ｂ内に入り込んでいる。よって、これら被係合部３３、係合突起１２ｆ及び係合突起１２ｂと、一方のセル１の底枠部３と、が干渉しないようにすることができる。
【０１１３】
このように、天枠部２及び底枠部３の側部には、横隣のセル１の上下連結部３０の一部分を収容する切欠形状部１８ａ、１８ｂ、１９ａ、１９ｂが形成されているため、横隣のセルの上下連結部３０と、天枠部２及び底枠部３と、の干渉が抑制されている。
【０１１４】
また、他方のセル１の上下連結部３０ａ、一方のセル１の上下連結部３０ｃ、他方のセル１の上下連結部３０ｂ、及び、一方のセル１の上下連結部３０ｄは、同一平面上に位置し、正面視において互いに重なり合っている。
より具体的には、これら上下連結部３０ａ、上下連結部３０ｃ、上下連結部３０ｂ及び上下連結部３０ｄは、前後方向に延在する同一平面上に位置している。
また、これら上下連結部３０ａ、上下連結部３０ｃ、上下連結部３０ｂ及び上下連結部３０ｄの左側面どうしは、互いに面一となり、右側面どうしも互いに面一となっている。すなわち、上下連結部３０ａ、３０ｂと、上下連結部３０ｃ、３０ｄと、の横方向位置が一致している。
そして、上下連結部３０ａ、上下連結部３０ｃ、上下連結部３０ｂ及び上下連結部３０ｄにより、一連の板状部８が構成されている。
こうして、横方向に隣り合うセル１はそれらを仕切る板状部８を共用している。
【０１１５】
ここで、これら２つのセル１のうち、一方のセル１の側枠部である上下連結部３０ｃ及び上下連結部３０ｄは、２つのセル１の間に位置し、一方のセル１のマガジン搭載部と、他方のセル１のマガジン搭載部とに臨んで、これらマガジン搭載部を仕切っている。
同様に、これら２つのセル１のうち、他方のセル１の側枠部である上下連結部３０ａ及び３０ｂも、２つのセル１の間に位置し、一方のセル１のマガジン搭載部と、他方のセル１のマガジン搭載部とに臨んで、これらマガジン搭載部を仕切っている。
【０１１６】
なお、他方のセル１の上下連結部３０ａの本体部３１の後方に、一方のセル１の上下連結部３０ｃの本体部３１が実質的に隙間無く隣接している。つまり、これら上下連結部３０ａ、３０ｃは前後方向に実質的に連続的に配置されている。
同様に、他方のセル１の上下連結部３０ｂの本体部３１の後方に、一方のセル１の上下連結部３０ｄの本体部３１が実質的に隙間無く隣接している。つまり、これら上下連結部３０ｂ、３０ｄは前後方向に連続的に配置されている。
【０１１７】
また、他方のセル１の上下連結部３０ｂの上側の被係合部３２の前面は、他方のセル１の天枠部２の被係合部１４の後面に接するだけでなく、一方のセル１の天枠部２の係合部１３の後面にも接している。これにより、単体のセル１を組み立てただけの場合と比べて、当該被係合部３２内の係合突起１２ｂへの負荷（応力集中）が一層軽減され、該被係合部３２と天枠部２との係合の安定性が一層増すようになっている。
【０１１８】
ここでは、２つのセル１を横方向に連結する場合を説明したが、３つ以上のセル１を横方向に連結する場合も同様である。
【０１１９】
以下に説明するようにして複数のセル１を上下方向に連結することができる。
【０１２０】
２つのセル１を上下方向に連結するためには、例えば、先ず、下段のセル１を組み立てる。
その後、上段のセル１の底枠部３（下段のセル１の天枠部２）の係合突起１２ｅに、上段のセル１の上下連結部３０ａの下側の被係合部３３を固定する。
同様に、上段のセル１の底枠部３（下段のセル１の天枠部２）の係合突起１２ｆに、上段のセル１の上下連結部３０ｂの下側の被係合部３３を固定する。
また、上段のセル１の上下連結部３０ａの上側の被係合部３２と、上段のセル１の天枠部２の係合突起１２ａとを相互に固定し、上段のセル１の上下連結部３０ｂの上側の被係合部３２と、上段のセル１の天枠部２の係合突起１２ｂとを相互に固定する。
また、上段のセル１の上下連結部３０ｃの上側の被係合部３２と、上段のセル１の天枠部２の係合突起１２ｃとを相互に固定し、上段のセル１の上下連結部３０ｄの上側の被係合部３２と、上段のセル１の天枠部２の係合突起１２ｄとを相互に固定する。
また、上段のセル１の底枠部３（下段のセル１の天枠部２）の係合突起１２ｇに、上段のセル１の上下連結部３０ｃの下側の被係合部３３を固定する。
また、上段のセル１の底枠部３（下段のセル１の天枠部２）の係合突起１２ｈに、上段のセル１の上下連結部３０ｄの下側の被係合部３３を固定する。
これにより、図２０及び図２１に示すように、２つのセル１を上下方向に連結することができる。
【０１２１】
以下、２つのセル１を上下方向に連結した状態における特徴を説明する。
【０１２２】
下段のセル１の上下連結部３０ａと、上段のセル１の上下連結部３０ａとが直線状に並んでいる。同様に、下段のセル１の上下連結部３０ｂと上段のセル１の上下連結部３０ｂとが直線状に並び、下段のセル１の上下連結部３０ｃと上段のセル１の上下連結部３０ｃとが直線状に並び、下段のセル１の上下連結部３０ｄと上段のセル１の上下連結部３０ｄとが直線状に並んでいる。
換言すれば、各セル１が同一の構造であり、各セル１における上下連結部３０の配置が互いに等しい。よって、各セル１を同様の利用の仕方で用いることができるとともに、各セル１の強度を均一にできる。
【０１２３】
下段のセル１の上下連結部３０の第１切欠形状部３７には、上段のセル１の上下連結部３０の下側の被係合部３３と、当該被係合部３３と係合する係合突起１２と、が収容されている。
同様に、上段のセル１の上下連結部３０の第２切欠形状部３８には、下段のセル１の上下連結部３０の上側の被係合部３２と、当該被係合部３２と係合する係合突起１２と、が収容されている。
これにより、上下方向に隣接するセル１の上下連結部３０どうしを直線状に配置しても、これら上下連結部３０どうしが干渉しないようにすることができる。
【０１２４】
より具体的には、下段のセル１の上下連結部３０ａの上側の被係合部３２の上面が、上段のセル１の上下連結部３０ａの本体部３１の下面に接している。同様に、下段のセル１の上下連結部３０ｂの上側の被係合部３２の上面が、上段のセル１の上下連結部３０ｂの本体部３１の下面に接し、下段のセル１の上下連結部３０ｃの上側の被係合部３２の上面が、上段のセル１の上下連結部３０ｃの本体部３１の下面に接し、下段のセル１の上下連結部３０ｄの上側の被係合部３２の上面が、上段のセル１の上下連結部３０ｄの本体部３１の下面に接している。
このように、下段のセル１の上下連結部３０の被係合部３２により、上段のセル１の対応する上下連結部３０の本体部３１が支えられているため、セル組付体７が構造的に安定する。
【０１２５】
また、上段のセル１の上下連結部３０ａの下側の被係合部３３の下面が、下段のセル１の上下連結部３０ａの本体部３１の上面に接している。同様に、上段のセル１の上下連結部３０ｂの下側の被係合部３３の下面が、下段のセル１の上下連結部３０ｂの本体部３１の上面に接し、上段のセル１の上下連結部３０ｃの下側の被係合部３３の下面が、下段のセル１の上下連結部３０ｃの本体部３１の上面に接し、上段のセル１の上下連結部３０ｄの下側の被係合部３３の下面が、下段のセル１の上下連結部３０ｄの本体部３１の上面に接している。
このように、下段のセル１の上下連結部３０の本体部３１により、上段のセル１の対応する上下連結部３０の被係合部３３が支えられているため、セル組付体７が構造的に安定する。
【０１２６】
また、下段のセル１の上下連結部３０ａの上側の被係合部３２の後面が、上段のセル１の上下連結部３０ａの下側の被係合部３３の前面に接している。同様に、下段のセル１の上下連結部３０ｂの上側の被係合部３２の後面が、上段のセル１の上下連結部３０ｂの下側の被係合部３３の前面に接し、下段のセル１の上下連結部３０ｃの上側の被係合部３２の後面が、上段のセル１の上下連結部３０ｃの下側の被係合部３３の前面に接し、下段のセル１の上下連結部３０ｄの上側の被係合部３２の後面が、上段のセル１の上下連結部３０ｄの下側の被係合部３３の前面に接している。
このように、下段のセル１の上下連結部３０の被係合部３２と、上段のセル１の上下連結部３０の被係合部３３と、が前後方向に隣り合って、相互に接しているため、セル組付体７が構造的に安定する。
【０１２７】
ここでは、２つのセル１を上下方向に連結する場合を説明したが、３つ以上のセル１を上下方向に連結する場合も同様である。
【０１２８】
なお、一例として、複数のセル１を横方向に連結した後の状態において、隣り合うセル１の間に、未使用の係合突起１２が存在していても、この係合突起１２に対して新たに上下連結部３０の被係合部３２、３３を固定するためのクリアランスが存在しない場合がある。
この場合、上下方向に必要数のセル１を連結することにより得られるセル組付体７を複数作成した後で、これら複数のセル組付体７の複数段のセル１について、一括して、横方向に連結すると良い。この連結動作は、一段のセル１を横方向に連結する場合と同様である。
【０１２９】
ここで、横方向及び上下方向に複数のセル１が連結された場合の構造に関し、特に、正面視において上下左右の４つのセル１の交点となる箇所の構造について説明する。
【０１３０】
この場合、下段の一方の（右側の）セル１の上下連結部３０ｃの上側の被係合部３２と、当該被係合部３２の内部の係合突起１２ｃと、上段の一方のセル１の上下連結部３０ｃの下側の被係合部３３と、当該被係合部３３の内部の係合突起１２ｇと、が下段の他方の（左側の）セル１の天枠部２（上段の他方のセル１の底枠部３）の切欠形状部１８ａ内に入り込んでいる。
また、下段の一方のセル１の上下連結部３０ｄの上側の被係合部３２と、当該被係合部３２の内部の係合突起１２ｄと、上段の一方のセルの上下連結部３０ｄの下側の被係合部３３と、当該被係合部３３の内部の係合突起１２ｈと、下段の一方のセル１の天枠部２（上段の一方のセル１の底枠部３）の突出片１５ｂと、が下段の他方の（左側の）セル１の天枠部２（上段の他方のセル１の底枠部３）の切欠形状部１９ａ内に入り込んでいる。
また、下段の他方のセル１の上下連結部３０ａの上側の被係合部３２と、当該被係合部３２の内部の係合突起１２ａと、上段の他方のセル１の上下連結部３０ａの下側の被係合部３３と、当該被係合部３３の内部の係合突起１２ｅと、下段の他方のセル１の天枠部２の突出片１５ａと、が下段の一方のセル１の天枠部２（上段の一方のセル１の底枠部３）の切欠形状部１９ｂ内に入り込んでいる。
また、下段の他方のセル１の上下連結部３０ｂの上側の被係合部３２と、その内部の係合突起１２ｂと、上段の他方のセル１の上下連結部３０ｂの下側の被係合部３３と、その内部の係合突起１２ｆと、が下段の一方のセル１の天枠部２（上段の一方のセル１の底枠部３）の切欠形状部１８ｂ内に入り込んでいる。
【０１３１】
そして、下段の一方のセル１の上下連結部３０ｃの上側の被係合部３２の前面が、上段の他方のセル１の上下連結部３０ａの下側の被係合部３３の後面に接している。
同様に、下段の一方のセル１の上下連結部３０ｄの上側の被係合部３２の前面が、上段の他方のセル１の上下連結部３０ｂの下側の被係合部３３の後面に接している。
これにより、単にセル１を横方向に連結しただけの場合と比べて、セル組付体７が構造的に一層安定する。
【０１３２】
なお、本実施形態に係る商品陳列棚１００においては、横方向に並ぶ複数のセル１について、それぞれ異なる段数のセル１を上下方向に連結することも可能である。具体例としては、例えば、横方向に３列のセル１を連結する場合に、左側の列については３つのセル１を上下方向に連結し、中央の列については２つのセル１を上下方向に連結し、右側の列については１段（最下段）にのみセル１を配置することなどが可能である。よって、陳列スペースの大きさや形状に合わせて、各列において上下方向に積み重ねるセル１の数を増減することができる。
【０１３３】
図２２に示すように、側面化粧パネル４の内側の面には、セル１の上下連結部３０（例えば、上下連結部３０ｃ、３０ｄ）の取付孔３６に対して止着されるボス４ｂが形成されている。これらボス４ｂを、上下連結部３０ｃ、３０ｄの取付孔３６に対して嵌入することにより、セル１の左側面に側面化粧パネル４を取り付けることができるようになっている。
同様に、側面化粧パネル５には、セル１の上下連結部３０（例えば、上下連結部３０ａ、３０ｂ）の取付孔３６に対して止着されるボス（図示略）が形成され、これらボスを用いて、セル１の右側面に側面化粧パネル５を取り付けることができるようになっている。
なお、側面化粧パネル４、５の上下寸法は、例えば、セル１の上下寸法と等しく、側面化粧パネル４、５の上端位置とセル１の上端位置とが互いに等しく、側面化粧パネル４、５の下端位置とセル１の下端位置とが互いに等しくなるようになっている。
【０１３４】
図２３に示すように、前面化粧パネル５０は、例えば、セル１の横幅の整数倍（例えば３倍）の横幅の第１部分５１と、セル１と横幅が等しい第２部分５２と、により構成されている。
商品陳列棚１００の横幅の変更に合わせて、第１部分５１或いは第２部分５２の数を増減することにより、前面化粧パネル５０の横幅も変更できるようになっている。
例えば、セル１を横方向に６つ連結してセル組付体７を組み立てた場合には、図１に示すように、１つの第１部分５１と、３つの第２部分５２とを横一列に並べて、セル組付体７の前面に取り付ける。
第１部分５１は、平板状に形成された本体部５３と、この本体部５３の上端部及び下端部よりそれぞれ後方に延出する後方延出部５４と、を有している。これら後方延出部５４には、第１部分５１をセル１の天底共通部材１０の前側の取付孔１７に止着するための止着孔５５が形成されている。例えば、ビスなどの止着部材（図示略）を止着孔５５及び取付孔１７に通し、後方延出部５４と天底共通部材１０とを締結することにより、第１部分５１をセル１に取り付けることができる。
第２部分５２も第１部分５１と同様に構成され、第１部分５１と同様の手法でセル１に取り付けることができる。
【０１３５】
図２４に示すように、ベースプレート６は、例えば、平面視矩形状の平板状のものであり、セル組付体７の下に敷設される。ベースプレート６の前部には、複数の取付孔６１が形成され、これら取付孔６１は横方向に一定間隔で並んで配置されている。同様に、ベースプレート６の後部にも、複数の取付孔６２が形成されている。ベースプレート６の取付孔６１は、最下段のセル１の底枠部３を構成する天底共通部材１０の前側の取付孔１７に対して、図示しない止着部材（ビスなど）を用いて固定される。同様に、取付孔６２は、最下段のセル１の底枠部３を構成する天底共通部材１０の後側の取付孔１７に対して、図示しない止着部材を用いて固定される。
ベースプレート６の前後寸法は、セル１の前後寸法よりも大きく、ベースプレート６の後部は、セル組付体７の下端部の後端よりも後方に延出する後方延出部６３となっている。このため、商品陳列棚１００が後方に転倒してしまうことが抑制されている。
【０１３６】
図２８（ａ）はマガジン４０の側面図、図２８（ｂ）はマガジン４０の正面図である。
【０１３７】
マガジン４０は、上方に向けて開口する半筐体状に形成され、その内部に商品としてのたばこ商品６０を縦置きで前後に列をなすように複数個搭載可能となっている。マガジン４０は、図示しない押し板を備えている。この押し板は、最後列のたばこ商品６０の背面を手前側に付勢しており、最前列のたばこ商品６０がマガジン４０から取り出されると、残りのたばこ商品６０が押し板によって手前側に移動（前送り）されるようになっている。
マガジン４０の底部の両側部には、下方に向けて突出し、前後方向に延在するブレード４１がそれぞれ形成されている。
なお、セル１の内部空間の高さ（天枠部２と底枠部３との上下間隔）は、マガジン４０にたばこ商品６０を搭載したときのマガジン４０の底面からたばこ商品６０の上面までの高さよりも十分に大きく設定されている。これにより、たばこ商品６０を搭載したマガジン４０をセル１に対して容易に出し入れすることができる。
【０１３８】
以上のような第１の実施形態によれば、任意数の複数のセル１を横方向に連設（例えば連結）できるので、商品陳列棚１００の横幅を変更できる。また、横方向に隣り合うセル１は、それらセル１の側枠部により構成される板状部８によって仕切られているので、各セル１内の領域をそれぞれ独立的に利用できる。しかも、横方向に隣り合うセル１の側枠部は、それらセル１の各々のマガジン搭載部に臨んでいる、すなわち、横方向に隣り合うセル１はそれらを仕切る側枠部、ひいては板状部８を共用するので、構造の無駄を低減でき、スペース効率を高めることができる。
すなわち、側枠部、ひいては板状部８により相互に仕切られた複数のセル１を、シンプルで無駄が低減された構造で横方向に連設でき、商品陳列棚１００の全体の幅に対する有効幅寸法（マガジン配置領域の幅寸法）を極力大きくすることができる。
【０１３９】
＜第１の実施形態の変形例＞
図２５乃至図２７は第１の実施形態の変形例に係る商品陳列棚の天底共通部材１１０を示す図であり、このうち図２５は平面図、図２６は側面図、図２７は斜視図である。
この変形例に係る商品陳列棚の天底共通部材１１０は、以下に説明する点でのみ上記の天底共通部材１０と相違し、その他の点では天底共通部材１０と同様に構成されている。
【０１４０】
この天底共通部材１１０は、係合部１３を有していない代わりに、突出片２３を有している。つまり、天底共通部材１１０は、左右一対の突出片２３を有している。
また、天底共通部材１１０は、被係合部１４を有していない代わりに、切欠形状部２４を有している。つまり、天底共通部材１１０は、左右一対の切欠形状部２４を有している。
【０１４１】
変形例に係る商品陳列棚は、セル１を横方向に連結ではなく単に連設することが可能である。セル１を横方向に連接した場合、一方のセル１の突出片２３が他方のセル１の切欠形状部２４に入り込み、且つ、他方のセル１の突出片２３が一方のセル１の切欠形状部２４に入り込むようになっている。
【０１４２】
セル１を横方向に連接したときの、他方のセル１の上下連結部３０ａ、一方のセル１の上下連結部３０ｃ、他方のセル１の上下連結部３０ｂ、及び、一方のセル１の上下連結部３０ｄの位置関係は、上記の第１の実施形態と同様である。すなわち、変形例の場合も、  横方向に隣り合うセル１はそれらを仕切る板状部８を共用する。
【０１４３】
なお、天底共通部材１１０は、平面視において、その中心Ｃ２（図２５）を中心とする点対称形をなし、この中心Ｃ２を中心として天底共通部材１１０の板面方向において１８０度回転させることにより天底共通部材１１０を左右反転させても同様に用いることができるようになっている。
【０１４４】
〔第２の実施形態〕
図２９は第２の実施形態に係る商品陳列棚２００の斜視図である。なお、図２９においては、一部の構成を分解して示している。図３０は商品陳列棚２００の正面図である。図３１及び図３２は商品陳列棚２００の横方向連結構造を説明するための図であり、このうち図３１は分解斜視図、図３２は正面図である。図３３は商品陳列棚２００の支持プレート２３０の斜視図である。図３４は商品陳列棚２００の前面化粧パネル２５０（図３０）の第１部分２５１、第２部分２５２の側面図である。図３５は商品陳列棚２００の側面図である。
【０１４５】
本実施形態に係る商品陳列棚２００は、それぞれ１個以上のマガジン４０を搭載可能なマガジン搭載部を有する任意数の複数のセル１を横方向に連結可能に構成され、第１及び第２のセル１が横方向に隣り合って連設された状態で、第１のセル１は、第１のセル１と第２のセル１との間に位置する側枠部（側板２１１）を有し、第１のセル１の側枠部が、第１のセル１のマガジン搭載部と、第２のセル１のマガジン搭載部と、に臨んで、これらマガジン搭載部を仕切る。
【０１４６】
本実施形態に係る商品陳列棚２００は、横方向に並ぶセル１の数よりも１枚多い複数の側板２１１と、これら側板２１１を連結する複数の連結棒２２０と、を有している。すなわち、図２９に示すように、横方向に２つのセル１が並ぶようにして商品陳列棚１００を組み立てる場合、３枚の側板２１１を用いる。同様に、図３０に示すように、横方向に６つのセル１が並ぶようにして商品陳列棚１００を組み立てる場合、７枚の側板２１１を用いる。横方向に隣り合うセル１は、それらの間に位置する側板２１１を共用する。すなわち、横方向に隣り合うセル１のうち一方のセル１における他方のセル１側の側壁２１１は、他方のセル１における一方のセル１側の側壁２１１である。
【０１４７】
なお、以下では、複数の側板２１１のうち一端に位置する側板２１１を側板２１１ａという場合があり、複数の側板２１１のうち他端に位置する側板２１１を側板２１１ｂという場合があり、その他の側板２１１を側板２１１ｃという場合がある。
【０１４８】
図２９に示すように、側板２１１ｂの外面には、装飾表示部５ａ（図１）と同様の装飾表示部２１３が形成されている。まだ、側板２１１ａの外面にも、同様の装飾表示部（図示略）が形成されている。
【０１４９】
本実施形態の場合、一対の側板２１１の間には、上下方向に複数（例えば、図２９及び図３０に示すように、６つ）のセル１が並んで形成される。すなわち、側板２１１は、上下方向に並ぶ複数のセル１に共用される。
【０１５０】
個々のセル１は、各々側枠部となる左右の側板２１１と、セル１の下端部において互いに前後にオフセットして配置され、それぞれ左右の側板２１１を連結する複数の連結棒（第１連結棒）２２０と、セル１の上端部において互いに前後にオフセットして配置され、それぞれ左右の側板２１１を連結する複数の連結棒（第２連結棒）２２０と、により構成される。
【０１５１】
なお、セル１の下端部において前後に並ぶ連結棒２２０の数は任意であるが、本実施形態の場合、例えば、２本である。このうち一方の連結棒２２０は、セル１の前端部において横方向に延在し、他方の連結棒２２０は、セル１の後端部において横方向に延在している。セル１の下端部において前後に並ぶ複数の連結棒２２０は、互いに同じ高さに配置されている。
同様に、セル１の上端部において前後に並ぶ連結棒２２０の数は任意であるが、本実施形態の場合、例えば、２本である。このうち一方の連結棒２２０は、セル１の前端部において横方向に延在し、他方の連結棒２２０は、セル１の後端部において横方向に延在している。セル１の上端部において前後に並ぶ複数の連結棒２２０は、互いに同じ高さに配置されている。
【０１５２】
本実施形態の場合、セル１の下端部において前後に並ぶ複数の連結棒２２０により、セル１の底枠部が構成され、この底枠部により、マガジン４０を支持可能となっている。本実施形態の場合、具体的には、例えば、この底枠部によって支持プレート２３０を保持し、この支持プレート２３０上にマガジン４０を支持するようになっている。
【０１５３】
また、セル１の上端部において前後に並ぶ複数の連結棒２２０により、セル１の天枠部が構成される。
【０１５４】
また、天枠部と底枠部とは互いに同一形状である。そして、一のセル１の天枠部は、当該一のセル１の１段上に位置するセル１の底枠部を兼ねる。同様に、一のセル１の底枠部は、当該一のセル１の１段下に位置するセル１の天枠部を兼ねる。
【０１５５】
隣り合うセル１の下側の連結棒２２０どうしは、１対１で対応し、互いに対応する下側の連結棒２２０は、同軸上に位置し、且つ、側板２１１（側板２１１ｃ）を挟んで相互に連結される。
同様に、隣り合うセル１の上側の連結棒２２０どうしは、１対１で対応し、互いに対応する上側の連結棒２２０は、同軸上に位置し、且つ、側板２１１（側板２１１ｃ）を介して相互に連結される。
【０１５６】
図３１及び図３２に示すように、連結棒２２０は、棒状の本体部２２１と、この本体部２２１の一端より突出する雄ネジ部２２２と、本体部２２１の他端部に形成された雌ネジ部２２３と、を有している。雄ネジ部２２２及び雌ネジ部２２３の軸方向は、本体部２２１の長手方向と一致している。雄ネジ部２２２の外径は、本体部２２１の外径よりも小さい。
【０１５７】
連結棒２２０の雄ネジ部２２２は、他の連結棒２２０の雌ネジ部２２３、又は、固定ナット２４２と螺合する。
連結棒２２０の雌ネジ部２２３は、他の連結棒２２０の雄ネジ部２２２、又は、固定ビス２４１と螺合する。
【０１５８】
図３１及び図３２に示すように、複数の連結棒２２０が、互いの間に側板２１１（側板２１１ｃ）を介在させながら、軸方向に連結される。
【０１５９】
同軸上に並ぶ連結棒２２０のうち、軸方向において隣り合う連結棒２２０は、側板２１１（側板２１１ｃ）を挟んで相互に螺合することにより連結される。すなわち、これらのうち一方の連結棒２２０の雄ネジ部２２２が、側板２１１（側板２１１ｃ）に形成された挿通孔２１２を通して、他方の連結棒２２０の雌ネジ部２２３に螺入されることで、これら連結棒２２０が連結される。
【０１６０】
なお、挿通孔２１２の内径は、本体部２２１の外径よりも小さく、本体部２２１は、挿通孔２１２を通過不能である。よって、軸方向において隣り合う連結棒２２０の本体部２２１どうしにより、側板２１１（側板２１１ｃ）が挟持される。
【０１６１】
また、同軸上に並ぶ連結棒２２０のうち、一端に位置する連結棒２２０の雌ネジ部２２３には、側板２１１（側板２１１ａ）の挿通孔２１２を通して、固定ビス２４１が螺入される。ここで、固定ビス２４１は、雄ネジ部２２２と同一の寸法及び形状の雄ネジ部２４１ａと、雄ネジ部２４１ａの一端に固定され、挿通孔２１２よりも大径の頭部２４１ｂと、を有し、雄ネジ部２４１ａが挿通孔２１２を通して雌ネジ部２２３に螺入される。
よって、固定ビス２４１の頭部２４１ｂと、一端に位置する連結棒２２０の本体部２２１とにより、側板２１１（側板２１１ａ）が挟持される。
【０１６２】
また、同軸上に並ぶ連結棒２２０のうち、他端に位置する連結棒２２０の雄ネジ部２２２は、側板２１１（側板２１１ｂ）の挿通孔２１２を通して、固定ナット２４２に螺入される。固定ナット２４２には、雌ネジ部２２３と同一の形状及び寸法の雌ネジ部２４２ａが形成されている。
固定ナット２４２は、挿通孔２１２よりも大径に形成されている。このため、他端に位置する連結棒２２０の本体部２２１と、固定ナット２４２とにより、側板２１１（側板２１１ｂ）が挟持される。
【０１６３】
なお、固定ナット２４２は、例えば、一端が閉塞しており、雄ネジ部２２２を外部から視認できないようになっている。このため、商品陳列棚２００の見栄えが良い。
【０１６４】
各セル１の底枠部を構成する前後一対の連結棒２２０には、図３０及び図２９に示すように、支持プレート２３０が架設される。
図３３に示すように、支持プレート２３０は、例えば、平板状に形成された本体部２３１と、この本体部２３１の前端及び後端に形成された一対の折曲片２３２と、を有している。支持プレート２３０は、例えば、金属板により構成され、折曲片２３２は、支持プレート２３０の前部及び後部をそれぞれ下方に折り曲げ形成することにより構成されている。このうち前側の折曲片２３２は、セル１の底枠部を構成する前後一対の連結棒２２０のうち前側の連結棒２２０に係合し、後側の折曲片２３２は、後側の連結棒２２０に係合する。こうして、各セル１内には、支持プレート２３０が水平に支持される。
例えば、本体部２３１の上面には、マガジン４０のブレード４１の下端部が入り込む左右一対のブレード溝２３３が、それぞれ前後方向に直線状に延在するように形成されている。
【０１６５】
商品陳列棚２００の前面には、例えば、図３０に示すように、前面化粧パネル２５０を取り付けることが可能となっている。前面化粧パネル２５０は、例えば、横幅がセル１の横幅の３倍の第１部分２５１と、横幅がセル１と同じ第２部分２５２と、の少なくとも何れか一方からなる。
例えば、図３０に示すように、６つのセル１を横並びに配置する場合には、例えば、１つの第１部分２５１と３つの第２部分２５２とを、横一列に並べて商品陳列棚２００の前面に設けると良い。
例えば、図２９に示すように、２つのセル１を横並びに配置する場合には、例えば、２つの第２部分２５２を、横に並べて商品陳列棚２００の前面に設けると良い。
【０１６６】
図３４に示すように、第１及び第２部分２５１、２５２は、例えば、平板状に形成された本体部２５３と、この本体部２５３の下端部の裏面に設けられた左右一対の係止部２５４と、を有している。係止部２５４には、連結棒２２０と係合する係合凹部２５５が、下向きに開口する形状に形成されている。
第１部分２５１を商品陳列棚２００の前面に設けるには、例えば、左右一対の係合凹部２５５がセル１の下端部の前部に位置する連結棒２２０に係合するようにして、第１部分２５１をセル１に係止し、本体部２５３の裏面を側板２１１の前面に立て掛ける。
第２部分２５２についても、同様に、商品陳列棚２００の前面に設けることができる。
【０１６７】
例えば、図３５に示すように、側板２１１の側面形状は、平行四辺形に近い形状（平行四辺形の４隅を丸めたような形状）であることが挙げられる。そして、商品陳列棚２００は、後傾している（上部ほど後側に位置している）ことが挙げられる。この場合に、商品陳列棚２００が後側に転倒してしまうことを抑制するために、商品陳列棚２００の下端には、側板２１１の下端の後端よりも後方に延出する転倒抑制部材２６０を固定することが好ましい。
【０１６８】
以上のような第２の実施形態によれば、任意数の複数のセル１を横方向に連結できるので、商品陳列棚２００の横幅を変更できる。また、横方向に隣り合うセル１は側板２１１により仕切られているので、各セル１内の領域をそれぞれ独立的に利用できる。しかも、横方向に隣り合うセル１の間に位置する側板２１１は、それらセル１の各々のマガジン搭載部に臨んでいる、すなわち、横方向に隣り合うセル１はそれらを仕切る側壁２１１を共用する。よって、構造の無駄を低減でき、スペース効率を高めることができる。
すなわち、側板２１１により相互に仕切られた複数のセル１を、シンプルで無駄が低減された構造で横方向に連結でき、商品陳列棚２００の全体の幅に対する有効幅寸法（マガジン配置領域の幅寸法）を極力大きくすることができる。
【０１６９】
＜第２の実施形態の変形例＞
図３６は第２の実施形態の変形例に係る商品陳列棚の連結棒２２０の断面図であり、このうち図３６（ａ）は連結棒２２０の長手寸法が最大の状態を示し、図３６（ｂ）は図３６（ａ）の状態よりも連結棒２２０の長手寸法が短くなった状態（例えば、連結棒２２０の長手寸法が最小の状態）を示す。
【０１７０】
図３６に示すように、連結棒２２０は、左隣のセル１の対応する連結棒２２０と締結される第１棒状部２６１と、第１棒状部２６１と同軸上に位置し右隣のセル１の対応する連結棒２２０と締結される第２棒状部２６２と、を有している。第１棒状部２６１と第２棒状部２６２とは、相互に軸周りに回動自在に連結されている。
【０１７１】
第１棒状部２６１の一端には、雌ネジ部２２３が形成され、第１棒状部２６１の他端には、連結軸２６３を介して、円柱状の内部摺動部２７１が連結されている。
連結軸２６３の外径は、その長手方向において一定である。連結軸２６３の外径は、第１棒状部２６１の外径よりも小さい。
また、内部摺動部２７１の外径は、連結軸２６３の外径よりも大きく、且つ、一定である。
【０１７２】
第２棒状部２６２には、内部摺動部２７１を収容する円筒形の収容室２６９が形成されている。収容室２６９の一端は開口し、その開口部２７０は、連結軸２６３をその軸方向にガイドするようになっている。
開口部２７０の内径は、内部摺動部２７１の外径よりも小さい。このため、収容室２６９から内部摺動部２７１が脱落してしまうことが抑制されている。
第２内部摺動部２７２は、収容室２６９内において、連結軸２６３の軸方向に摺動可能となっている。
【０１７３】
更に、収容室２６９内には、内部摺動部２７１と別体の第２内部摺動部２７２が設けられている。第２内部摺動部２７２は、円柱状であり、その外径は、内部摺動部２７１と同じである。
第２内部摺動部２７２は、第１棒状部２６１を基準として、内部摺動部２７１よりも遠くに配置され、第２内部摺動部２７２と内部摺動部２７１の端面どうしが接している。
【０１７４】
更に、収容室２６９内には、圧縮型のコイルバネ２６８が設けられている。また、第２棒状部２６２の他端には、雄ネジ部２２２が形成されている。
【０１７５】
コイルバネ２６８は、第２内部摺動部２７２及び内部摺動部２７１を雄ネジ部２２２から遠ざかる方向に付勢している。このため、常態においては、連結棒２２０の各構成要素の位置関係は、図３６（ａ）のようになる。
【０１７６】
また、第１棒状部２６１と第２棒状部２６２とが互いに近づく方向へ、第１棒状部２６１と第２棒状部２６２とに力を加えると、図３６（ｂ）に示すように、コイルバネ２６８の付勢に抗して、第２内部摺動部２７２及び内部摺動部２７１が収容室２６９の奥（開口部２７０からより遠い位置）に押し込まれるとともに、連結棒２２０の長手寸法が短くなる。
例えば、図３６（ｂ）に示すように、第１棒状部２６１における第２棒状部２６２側の面２６５と、第２棒状部２６２における第１棒状部２６１側の面２６４と、が接触する位置で、連結棒２２０の長手寸法の短縮動作が規制されるようになっている。
なお、図３６（ｂ）の状態での連結棒２２０の長手寸法と、図３６（ａ）の状態での長手寸法との差は、少なくとも雄ネジ部２２２の長さよりも大きい。
【０１７７】
このように、連結棒２２０の第１棒状部２６１と第２棒状部２６２とは、相互に軸周りに回動自在となっている。つまり、第１棒状部２６１と第２棒状部２６２とを互いに独立的にそれぞれ軸周りに回動させることができる。
よって、例えば、図３０に示すように、３つ以上のセル１を横方向に連結した状態において、左右両隣が他のセル１により挟まれているセル１（以下セル１ａ）の連結棒２２０を取り外すことが可能である。
【０１７８】
また、連結棒２２０の長手寸法を常態（図３６（ａ））と比べて短縮することが可能であるとともに、その短縮量は、雄ネジ部２２２の長さよりも大きい。
よって、セル１ａの連結棒２２０を容易に取り外すことが可能である。
【０１７９】
なお、上記においては、マガジン４０のブレード４１がマガジン４０の横方向の両端部に位置している例を示したが、ブレード４１の位置は横方向において適宜に変更しても良い。また、ブレード溝１６、２３３の横方向位置も、ブレード４１の位置に合わせて、適宜に変更して良い。
【０１８０】
上記の第１の実施形態において、上下連結部３０が板状である例を説明したが、上下連結部３０は、棒状或いは柱状であっても良い。
以下、参考形態の例を付記する。
１．それぞれ１個以上のマガジンを搭載可能なマガジン搭載部を有する任意数の複数のセルを少なくとも横方向に連設可能に構成され、
第１及び第２の前記セルが横方向に隣り合って連設された状態で、前記第１のセルは、前記第１のセルと前記第２のセルとの間に位置する側枠部を有し、前記第１のセルの前記側枠部が、前記第１のセルの前記マガジン搭載部と、前記第２のセルの前記マガジン搭載部と、に臨んで、これらマガジン搭載部を仕切ることを特徴とする商品陳列棚。
２．前記複数のセルを少なくとも横方向に連結可能に構成されていることを特徴とする１．に記載の商品陳列棚。
３．前記セルは、
天枠部と、
前記天枠部の下方に前記天枠部と対向して配置され、前記マガジンを支持する底枠部と、
前記セルの両側部にそれぞれ配置されて前記天枠部と前記底枠部とを上下に連結し、前記側枠部を構成する上下連結部と、
を有することを特徴とする１．又は２．に記載の商品陳列棚。
４．前記第１及び第２のセルのうち、右側の前記セルの左側部の前記上下連結部と、左側の前記セルの右側部の前記上下連結部と、が正面視において互いに重なり合って、前記第１のセルの前記マガジン搭載部と前記第２のセルの前記マガジン搭載部とを仕切る一連の板状部を構成することを特徴とする３．に記載の商品陳列棚。
５．前記第１及び第２のセルのうち、右側の前記セルの左側部の前記上下連結部と、左側の前記セルの右側部の前記上下連結部と、が前後方向に延在する同一平面上に位置することを特徴とする４．に記載の商品陳列棚。
６．前記第１及び第２のセルのうち、右側の前記セルの左側部の前記上下連結部と、左側の前記セルの右側部の前記上下連結部と、の横幅が互いに等しく、且つ、これら上下連結部の横方向位置が一致することを特徴とする４．又は５．に記載の商品陳列棚。
７．前記セルの左側部の前記上下連結部と右側部の前記上下連結部とは、互いに前後方向にオフセットされた位置で、それぞれ前記天枠部及び前記底枠部に固定され、
前記天枠部及び前記底枠部の側部には、横隣の前記セルの前記上下連結部の一部分を収容する切欠形状部が形成されていることを特徴とする４．乃至６．の何れか一項に記載の商品陳列棚。
８．前記天枠部と前記底枠部とが同一形状であることを特徴とする３．乃至７．の何れか一項に記載の商品陳列棚。
９．前記上下連結部の上下寸法は、前記セルの上下寸法と等しいことを特徴とする３．乃至８．の何れか一項に記載の商品陳列棚。
１０．複数の前記セルを上下方向に連結可能に構成されていることを特徴とする３．乃至９．の何れか一項に記載の商品陳列棚。
１１．一の前記セルの前記天枠部は、前記一のセルの１段上に位置する前記セルの底枠部を兼ねることを特徴とする１０．に記載の商品陳列棚。
１２．前記上下連結部は、前記天枠部及び前記底枠部にそれぞれ係合固定される上下一対の第１被係合部を有し、
前記天枠部は、上側の前記第１被係合部と係合する左右少なくとも一対の第１係合部を有し、
前記底枠部は、下側の前記第１被係合部と係合する左右少なくとも一対の第２係合部を有していることを特徴とする３．乃至１１．の何れか一項に記載の商品陳列棚。
１３．前記上下連結部は、前記天枠部及び前記底枠部にそれぞれ係合固定される上下一対の第１被係合部を有し、
前記天枠部は、上側の前記第１被係合部と係合する左右少なくとも一対の第１係合部を有し、
前記底枠部は、下側の前記第１被係合部と係合する左右少なくとも一対の第２係合部を有し、
（１）前記上下連結部の上側の前記第１被係合部は前記上下連結部の上端部の前部に、下側の前記第１被係合部は前記上下連結部の下端部の後部に、それぞれ配置され、
前記上下連結部の上端部の後部には第１切欠形状部が形成され、前記上下連結部の下端部の前部には第２切欠形状部が形成され、
一の前記セルの１段上に位置する前記セルの前記上下連結部の下側の前記第１被係合部と、当該第１被係合部と係合する前記第１係合部とは、前記第１切欠形状部に収容され、
前記一のセルの１段下に位置する前記セルの前記上下連結部の上側の前記第１被係合部と、当該第１被係合部と係合する前記第２係合部とは、前記第２切欠形状部に収容されるか、
又は、
（２）前記上下連結部の上側の前記第１被係合部は前記上下連結部の上端部の後部に、下側の前記第１被係合部は前記上下連結部の下端部の前部に、それぞれ配置され、
前記上下連結部の上端部の前部には第１切欠形状部が形成され、前記上下連結部の下端部の後部には第２切欠形状部が形成され、
前記一のセルの１段上に位置する前記セルの前記上下連結部の下側の前記第１被係合部と、当該第１被係合部と係合する前記第１係合部とは、前記第１切欠形状部に収容され、
前記一のセルの１段下に位置する前記セルの前記上下連結部の上側の前記第１被係合部と、当該第１被係合部と係合する前記第２係合部とは、前記第２切欠形状部に収容されることを特徴とする１０．又は１１．に記載の商品陳列棚。
１４．前記第１及び第２係合部は、横方向に突出する係合突起であり、
前記第１被係合部は、横方向に開口し、前記係合突起が嵌入される孔部又は凹部を有することを特徴とする１２．又は１３．に記載の商品陳列棚。
１５．前記天枠部は、
横隣の前記セルの前記天枠部に係合する第３係合部と、
横隣の前記セルの前記天枠部の前記第３係合部が係合される第２被係合部と、
を有し、
前記底枠部は、
横隣の前記セルの前記底枠部に係合する第４係合部と、
横隣の前記セルの前記底枠部の前記第４係合部が係合される第３被係合部と、
を有することを特徴とする３．乃至１４．の何れか一項に記載の商品陳列棚。
１６．前記第３及び第４係合部は、前記天枠部及び前記底枠部の本体部より横方向に突出する突出片と、この突出片に形成された係合爪と、を有し、
前記第２及び第３被係合部は、前記係合爪が係合される孔部を有することを特徴とする１５．に記載の商品陳列棚。
１７．前記係合爪は下向きに突出していることを特徴とする１６．に記載の商品陳列棚。
１８．前記係合爪が前記孔部に係合した状態で、隣り合う前記セルの前記天枠部の上面どうし、並びに、隣り合う前記セルの前記底枠部の上面どうしが、それぞれ面一となるように、前記第３及び第４係合部における前記爪部の周囲の部分の上下寸法及び配置と、前記第２及び第３被係合部における前記孔部の周囲の部分の上下寸法及び配置と、が設定されていることを特徴とする１６．又は１７．に記載の商品陳列棚。
１９．前記天枠部及び前記底枠部はそれぞれ板状であることを特徴とする３．乃至１８．の何れか一項に記載の商品陳列棚。
２０．前記上下連結部は板状であることを特徴とする３．乃至１９．の何れか一項に記載の商品陳列棚。
２１．前記上下連結部には、当該商品陳列棚の側面に設けられる化粧板を止着可能な止着部が形成されていることを特徴とする３．乃至１９．の何れか一項に記載の商品陳列棚。
２２．前記セルは、
各々前記側枠部となる左右の側板と、
前記セルの下端部において、互いに前後にオフセットして配置され、それぞれ左右の前記側板を連結し、前記マガジンを間接的又は直接的に支持する複数の第１連結棒と、
前記セルの上端部において、互いに前後にオフセットして配置され、それぞれ左右の前記側板を連結する、複数の第２連結棒と、
を有し、
隣り合う前記セルは、前記側板を共用し、
隣り合う前記セルの前記第１連結棒どうしは、１対１で対応し、
互いに対応する前記第１連結棒は、同軸上に位置し、且つ、前記側板を挟んで相互に連結され、
隣り合う前記セルの前記第２連結棒どうしは、１対１で対応し、
互いに対応する前記第２連結棒は、同軸上に位置し、且つ、前記側板を挟んで相互に連結されることを特徴とする２．に記載の商品陳列棚。
２３．隣り合う前記セルの互いに対応する前記第１連結棒は相互に締結されることで連結され、
隣り合う前記セルの互いに対応する前記第２連結棒は相互に締結されることで連結されることを特徴とする２２．に記載の商品陳列棚。
２４．前記第１及び第２連結棒は、左隣の前記セルの対応する前記第１連結棒又は第２連結棒と締結される第１棒状部と、前記第１棒状部と同軸上に位置し右隣の前記セルの対応する前記第１連結棒と締結される第２棒状部と、を有し、
前記第１棒状部と第２棒状部とは、相互に軸周りに回動自在に連結されていることを特徴とする２２．又は２３．に記載の商品陳列棚。
２５．前記側板は、上下方向に並ぶ複数の前記セルに共用されることを特徴とする２２．乃至２４．の何れか一項に記載の商品陳列棚。
【符号の説明】
【０１８１】
１ セル
１ａ セル
２ 天枠部
３ 底枠部
４ 側面化粧パネル
４ｂ ボス
５ 側面化粧パネル
５ａ 装飾表示部
６ ベースプレート
７ セル組付体
８ 板状部
１０ 天底共通部材
１１ 本体部
１２（１２ａ、１２ｂ、１２ｃ、１２ｄ、１２ｅ、１２ｆ、１２ｇ、１２ｈ） 係合突起
１３ 係合部
１４ 被係合部
１５ａ 突出片
１５ｂ 突出片
１６ ブレード溝
１７ 取付孔
１８ａ 切欠形状部
１８ｂ 切欠形状部
１９ａ 切欠形状部
１９ｂ 切欠形状部
２３ 突出片
２４ 切欠形状部
３０（３０ａ、３０ｂ、３０ｃ、３０ｄ） 上下連結部
３１ 本体部
３２ 被係合部
３３ 被係合部
３４ 係合孔
３５ 係合孔
３６ 取付孔
３７ 第１切欠形状部
３８ 第２切欠形状部
４０ マガジン
４１ ブレード
５０ 前面化粧パネル
５０ａ 装飾表示部
５１ 第１部分
５２ 第２部分
５３ 本体部
５４ 後方延出部
５５ 止着孔
６０ たばこ商品
６１ 取付孔
６２ 取付孔
６３ 後方延出部
１００ 商品陳列棚
１１０ 天底共通部材
１３１ 突出片
１３２ 係合爪
１４１ 突出片
１４２ 孔部
２００ 商品陳列棚
２１１（２１１ａ、２１１ｂ、２１１ｃ） 側板
２１２ 挿通孔
２１３ 装飾表示部
２２０ 連結棒
２２１ 本体部
２２２ 雄ネジ部
２２３ 雌ネジ部
２３０ 支持プレート
２３１ 本体部
２３２ 折曲片
２３３ ブレード溝
２４１ 固定ビス
２４１ａ 雄ネジ部
２４１ｂ 頭部
２４２ 固定ナット
２４２ａ 雌ネジ部
２５０ 前面化粧パネル
２５１ 第１部分
２５２ 第２部分
２５３ 本体部
２５４ 係止部
２５５ 係合凹部
２６０ 転倒抑制部材
２６１ 第１棒状部
２６２ 第２棒状部
２６３ 連結軸
２６４ 面
２６５ 面
２６８ コイルバネ
２６９ 収容室
２７０ 開口部
２７１ 内部摺動部
２７２ 第２内部摺動部
【図１】
0005727304.tif 000002
【図２】
0005727304.tif 000003
【図３】
0005727304.tif 000004
【図４】
0005727304.tif 000005
【図５】
0005727304.tif 000006
【図６】
0005727304.tif 000007
【図７】
0005727304.tif 000008
【図８】
0005727304.tif 000009
【図９】
0005727304.tif 000010
【図１０】
0005727304.tif 000011
【図１１】
0005727304.tif 000012
【図１２】
0005727304.tif 000013
【図１３】
0005727304.tif 000014
【図１４】
0005727304.tif 000015
【図１５】
0005727304.tif 000016
【図１６】
0005727304.tif 000017
【図１７】
0005727304.tif 000018
【図１８】
0005727304.tif 000019
【図１９】
0005727304.tif 000020
【図２０】
0005727304.tif 000021
【図２１】
0005727304.tif 000022
【図２２】
0005727304.tif 000023
【図２３】
0005727304.tif 000024
【図２４】
0005727304.tif 000025
【図２５】
0005727304.tif 000026
【図２６】
0005727304.tif 000027
【図２７】
0005727304.tif 000028
【図２８】
0005727304.tif 000029
【図２９】
0005727304.tif 000030
【図３０】
0005727304.tif 000031
【図３１】
0005727304.tif 000032
【図３２】
0005727304.tif 000033
【図３３】
0005727304.tif 000034
【図３４】
0005727304.tif 000035
【図３５】
0005727304.tif 000036
【図３６】
0005727304.tif 000037